(57)【特許請求の範囲】
【請求項１】
物理ランダム・アクセス・チャネル（ＰＲＡＣＨ）でランダム・アクセス・プリアンブルを基地局に送信する送信ユニットであって、前記ＰＲＡＣＨは少なくとも１つのアクイジション・インジケータ・チャネル（ＡＩＣＨ）に対応する、送信ユニットと、
補助表示情報を検出し、前記基地局により送信されるフィードバック情報を前記少なくとも１つのＡＩＣＨで検出する検出ユニットであって、前記フィードバック情報はアクイジション・インジケータ（ＡＩ）情報と拡張アクイジション・インジケータ（ＥＡＩ）情報とを含む、検出ユニットと、
前記フィードバック情報と前記補助表示情報とに従い、Ｍ個のアップリンク送信リソースにおいて、前記基地局により割り当てられるターゲットリソースのリソースインデックスを決定する決定ユニットであって、Ｍは３２より大きい整数である、決定ユニットと
を備え、
前記決定ユニットは更に、
前記ＡＩ情報が肯定応答（ＡＣＫ）である場合、デフォルトリソースのリソースインデックスを前記ターゲットリソースの前記リソースインデックスとして決定する、又は
前記ＡＩ情報が否定応答（ＮＡＣＫ）である場合、前記ＥＡＩ情報により示されるリソースインデックスの範囲を前記補助表示情報に従って決定し、前記ＥＡＩ情報の値に対応するリソースインデックスを前記ターゲットリソースの前記リソースインデックスとして決定する、ユーザ機器。
【請求項２】
ランダム・アクセス・パラメータを受信する受信ユニットを更に備え、
前記ランダム・アクセス・パラメータは、
前記ＰＲＡＣＨに対応する少なくとも２つのＡＩＣＨのシリアル番号を有する、又は
前記ＰＲＡＣＨに対応する１つのＡＩＣＨのシリアル番号と、前記補助表示情報を検出するよう命令するのに用いられる検出表示情報とを有する、又は
前記ＰＲＡＣＨに対応する１つのＡＩＣＨのシリアル番号と、少なくとも１つの時間間隔とを有し、前記少なくとも１つの時間間隔における各時間間隔は、前記ランダム・アクセス・プリアンブルが送信される時間と、前記フィードバック情報が検出される時間との間の期間である、
請求項１に記載のユーザ機器。
【請求項３】
前記ＰＲＡＣＨはＡＩＣＨに対応し、前記ＡＩ情報と前記ＥＡＩ情報と前記補助表示情報とは、前記ＡＩＣＨで送信され、前記補助表示情報は、前記ＡＩ情報と前記ＥＡＩ情報とが受信されるタイムスロットの最後の１０２４チップで送信される、
請求項２に記載のユーザ機器。
【請求項４】
前記ＰＲＡＣＨはＡＩＣＨに対応し、前記ＡＩ情報と前記ＥＡＩ情報とは前記ＡＩＣＨで送信され、前記補助表示情報は、前記ＥＡＩ情報が検出される時間間隔のシリアル番号である、
請求項２に記載のユーザ機器。
【請求項５】
前記ＡＩ情報と前記ＥＡＩ情報とは前記少なくとも１つのＡＩＣＨで送信され、前記補助表示情報は、前記ＥＡＩ情報を搬送する前記ＡＩＣＨのシリアル番号である、
請求項２に記載のユーザ機器。
【請求項６】
ユーザ機器（ＵＥ）により送信されるランダム・アクセス・プリアンブルを物理ランダム・アクセス・チャネル（ＰＲＡＣＨ）で受信する受信ユニットであって、前記ＰＲＡＣＨは少なくとも１つのアクイジション・インジケータ・チャネル（ＡＩＣＨ）に対応する、受信ユニットと、
Ｍ個のアップリンク送信リソースにおいて、前記ＵＥに割り当てられるターゲットリソースのリソースインデックスを決定する第１の決定ユニットであって、Ｍは３２より大きい整数である、第１の決定ユニットと、
前記ターゲットリソースの前記リソースインデックスに従って、フィードバック情報と補助表示情報とを決定する第２の決定ユニットであって、前記フィードバック情報は、アクイジション・インジケータ（ＡＩ）情報と拡張アクイジション・インジケータ（ＥＡＩ）情報とを含む、第２の決定ユニットと、
前記少なくとも１つのＡＩＣＨで前記フィードバック情報を送信する送信ユニットと
を備え、
前記第２の決定ユニットは更に、
前記ターゲットリソースの前記リソースインデックスがデフォルトリソースのリソースインデックスである場合、前記ＡＩ情報は肯定応答（ＡＣＫ）であると決定する、又は
前記ターゲットリソースの前記リソースインデックスが非デフォルトリソースのリソースインデックスである場合、前記ＡＩ情報は否定応答（ＮＡＣＫ）であると決定する、基地局。
【請求項７】
ネットワーク側から前記ＵＥにより取得されるランダム・アクセス・パラメータを決定する第３の決定ユニットを更に備え、
前記ランダム・アクセス・パラメータは、
前記ＰＲＡＣＨに対応する少なくとも２つのＡＩＣＨのシリアル番号を有する、又は
前記ＰＲＡＣＨに対応する１つのＡＩＣＨのシリアル番号と、前記補助表示情報を検出するよう命令するのに用いられる検出表示情報とを有する、又は
前記ＰＲＡＣＨに対応する１つのＡＩＣＨのシリアル番号と、少なくとも１つの時間間隔とを有し、前記少なくとも１つの時間間隔における各時間間隔は、前記ランダム・アクセス・プリアンブルが送信される時間と、前記フィードバック情報が検出される時間との間の期間である、
請求項６に記載の基地局。
【請求項８】
前記ＰＲＡＣＨはＡＩＣＨに対応し、前記ＡＩ情報と前記ＥＡＩ情報と前記補助表示情報とは、前記ＡＩＣＨで送信され、前記補助表示情報は、前記ＡＩ情報と前記ＥＡＩ情報とが受信されるタイムスロットの最後の１０２４チップで送信される、
請求項７に記載の基地局。
【請求項９】
前記ＰＲＡＣＨはＡＩＣＨに対応し、前記ＡＩ情報と前記ＥＡＩ情報とは前記ＡＩＣＨで送信され、前記補助表示情報は、前記ＥＡＩ情報が送信される時間間隔のシリアル番号である、
請求項７に記載の基地局。
【請求項１０】
前記ＡＩ情報と前記ＥＡＩ情報とは前記少なくとも１つのＡＩＣＨで送信され、前記補助表示情報は、前記ＥＡＩ情報を搬送する前記ＡＩＣＨのシリアル番号である、
請求項７に記載の基地局。
【請求項１１】
リソース表示方法であって、
物理ランダム・アクセス・チャネル（ＰＲＡＣＨ）でランダム・アクセス・プリアンブルを基地局に送信する段階であって、前記ＰＲＡＣＨは少なくとも１つのアクイジション・インジケータ・チャネル（ＡＩＣＨ）に対応する、段階と、
補助表示情報を検出し、前記基地局により送信されるフィードバック情報を前記少なくとも１つのＡＩＣＨで検出する段階であって、前記フィードバック情報はアクイジション・インジケータ（ＡＩ）情報と拡張アクイジション・インジケータ（ＥＡＩ）情報とを含む、段階と、
前記フィードバック情報と前記補助表示情報とに従い、Ｍ個のアップリンク送信リソースにおいて、前記基地局により割り当てられるターゲットリソースのリソースインデックスを決定する段階であって、Ｍは３２より大きい整数である、段階と
を備え、
前記フィードバック情報と前記補助表示情報とに従い、前記Ｍ個のアップリンク送信リソースにおいて、前記基地局により割り当てられる前記ターゲットリソースの前記リソースインデックスを決定する前記段階は、
前記ＡＩ情報が肯定応答（ＡＣＫ）である場合、デフォルトリソースのリソースインデックスを前記ターゲットリソースの前記リソースインデックスとして決定する段階を有する、又は
前記ＡＩ情報が否定応答（ＮＡＣＫ）である場合、前記ＥＡＩ情報により示されるリソースインデックスの範囲を前記補助表示情報に従って決定し、前記ＥＡＩ情報の値に対応するリソースインデックスを前記ターゲットリソースの前記リソースインデックスとして決定する段階を有する、方法。
【請求項１２】
物理ランダム・アクセス・チャネル（ＰＲＡＣＨ）で前記ランダム・アクセス・プリアンブルを送信する前記段階の前に、ランダム・アクセス・パラメータを受信する段階を更に備え、
前記ランダム・アクセス・パラメータは、
前記ＰＲＡＣＨに対応する少なくとも２つのＡＩＣＨのシリアル番号を有する、又は
前記ＰＲＡＣＨに対応する１つのＡＩＣＨのシリアル番号と、前記補助表示情報を検出するよう命令するのに用いられる検出表示情報とを有する、又は
前記ＰＲＡＣＨに対応する１つのＡＩＣＨのシリアル番号と、少なくとも１つの時間間隔とを有し、前記少なくとも１つの時間間隔における各時間間隔は、前記ランダム・アクセス・プリアンブルが送信される時間と、前記フィードバック情報が検出される時間との間の期間である、
請求項１１に記載の方法。
【請求項１３】
前記ＰＲＡＣＨはＡＩＣＨに対応し、前記ＡＩ情報と前記ＥＡＩ情報と前記補助表示情報とは、前記ＡＩＣＨで送信され、前記補助表示情報は、前記ＡＩ情報と前記ＥＡＩ情報とが受信されるタイムスロットの最後の１０２４チップで送信される、
請求項１２に記載の方法。
【請求項１４】
前記ＰＲＡＣＨはＡＩＣＨに対応し、前記ＡＩ情報と前記ＥＡＩ情報とは前記ＡＩＣＨで送信され、前記補助表示情報は、前記ＥＡＩ情報が検出される時間間隔のシリアル番号である、
請求項１２に記載の方法。
【請求項１５】
前記ＡＩ情報と前記ＥＡＩ情報とは前記少なくとも１つのＡＩＣＨで送信され、前記補助表示情報は、前記ＥＡＩ情報を搬送する前記ＡＩＣＨのシリアル番号である、
請求項１２に記載の方法。
【請求項１６】
前記ＥＡＩ情報により示されるリソースインデックスの範囲を前記補助表示情報に従って決定する前記段階は、
前記補助表示情報の値がＫである場合、前記ＥＡＩ情報により示される前記リソースインデックスの範囲がＡからＢまでと決定する段階を有し、
Ａ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘは前記ランダム・アクセス・プリアンブルに対応するデフォルトリソースのリソースインデックスである、
請求項１３から１５のいずれか一項に記載の方法。
【請求項１７】
プロセッサに、請求項１１から１６のいずれか一項に記載の方法を実行させるためのプログラム。
【請求項１８】
リソース表示方法であって、
ユーザ機器（ＵＥ）により送信されるランダム・アクセス・プリアンブルを物理ランダム・アクセス・チャネル（ＰＲＡＣＨ）で受信する段階であって、前記ＰＲＡＣＨは少なくとも１つのアクイジション・インジケータ・チャネル（ＡＩＣＨ）に対応する、段階と、
Ｍ個のアップリンク送信リソースにおいて、前記ＵＥに割り当てられるターゲットリソースのリソースインデックスを決定する段階であって、Ｍは３２より大きい整数である、段階と、
前記ターゲットリソースの前記リソースインデックスに従って、フィードバック情報と補助表示情報とを決定する段階であって、前記フィードバック情報は、アクイジション・インジケータ（ＡＩ）情報と拡張アクイジション・インジケータ（ＥＡＩ）情報とを含む、段階と、
前記少なくとも１つのＡＩＣＨで前記フィードバック情報を送信する段階と
を備え、
前記ターゲットリソースの前記リソースインデックスに従ってフィードバック情報を決定する前記段階は、
前記ターゲットリソースの前記リソースインデックスがデフォルトリソースのリソースインデックスである場合、前記ＡＩ情報は肯定応答（ＡＣＫ）であると決定する段階、又は
前記ターゲットリソースの前記リソースインデックスが非デフォルトリソースのリソースインデックスである場合、前記ＡＩ情報はＮＡＣＫであると決定する段階を有する、方法。
【請求項１９】
ネットワーク側から前記ＵＥにより取得されるランダム・アクセス・パラメータを決定する段階を更に備え、
前記ランダム・アクセス・パラメータは、
前記ＰＲＡＣＨに対応する少なくとも２つのＡＩＣＨのシリアル番号を有する、又は
前記ＰＲＡＣＨに対応する１つのＡＩＣＨのシリアル番号と、前記補助表示情報を検出するよう命令するのに用いられる検出表示情報とを有する、又は
前記ＰＲＡＣＨに対応する１つのＡＩＣＨのシリアル番号と、少なくとも１つの時間間隔とを有し、前記少なくとも１つの時間間隔における各時間間隔は、前記ランダム・アクセス・プリアンブルが送信される時間と、前記フィードバック情報が検出される時間との間の期間である、
請求項１８に記載の方法。
【請求項２０】
前記ＰＲＡＣＨはＡＩＣＨに対応し、前記ＡＩ情報と前記ＥＡＩ情報と前記補助表示情報とは、前記ＡＩＣＨで送信され、前記補助表示情報は、前記ＡＩ情報と前記ＥＡＩ情報とが受信されるタイムスロットの最後の１０２４チップで送信される、
請求項１９に記載の方法。
【請求項２１】
前記ＰＲＡＣＨはＡＩＣＨに対応し、前記ＡＩ情報と前記ＥＡＩ情報とは前記ＡＩＣＨで送信され、前記補助表示情報は、前記ＥＡＩ情報が送信される時間間隔のシリアル番号である、
請求項１９に記載の方法。
【請求項２２】
前記ＡＩ情報と前記ＥＡＩ情報とは前記少なくとも１つのＡＩＣＨで送信され、前記補助表示情報は、前記ＥＡＩ情報を搬送する前記ＡＩＣＨのシリアル番号である、
請求項１９に記載の方法。
【請求項２３】
前記ターゲットリソースの前記リソースインデックスに従って補助表示情報を決定する前記段階は、
前記ターゲットリソースのリソースインデックスの範囲がＡからＢまでであり、ここでＡ＝（Ｘ＋３１×Ｋ＋１）ｍｏｄ  Ｍ、Ｂ＝（Ｘ＋３１×Ｋ＋３１）ｍｏｄ  Ｍである場合、前記補助表示情報がＫであると決定する段階を有し、
Ｋは０より大きい又は０に等しい整数であり、Ｘは前記ランダム・アクセス・プリアンブルに対応するデフォルトリソースのリソースインデックスである、
請求項２０から２２のいずれか一項に記載の方法。
【請求項２４】
プロセッサに、請求項１８から２３のいずれか一項に記載の方法を実行させるためのプログラム。
【発明の詳細な説明】
【技術分野】
【０００１】
本発明は通信分野に関し、特にリソース表示方法、基地局、及びユーザ機器に関する。
【背景技術】
【０００２】
第３世代パートナーシッププロジェクト（３ＧＰＰ）のユニバーサル移動体通信システム（ＵＭＴＳ）において、ユーザ機器（ＵＥ）は、物理ランダム・アクセス・チャネル（ＰＲＡＣＨ）でランダム・アクセス・プリアンブルを基地局に送信し、基地局は、ＵＥのアップリンク送信リソースを示すのに用いられるフィードバック情報をアクイジション・インジケータ・チャネル（ＡＩＣＨ）でＵＥに送信する。
【０００３】
ＵＥは、共通拡張専用チャネル（Ｃｏｍｍｏｎ  Ｅ−ＤＣＨ）リソースを用いてアップリンク送信を実行する。基地局は、最大３２セットの共通Ｅ−ＤＣＨリソースから１セットの共通Ｅ−ＤＣＨリソースを選択し、そのセットの共通Ｅ−ＤＣＨリソースを使用のためにＵＥにＡＩＣＨで示し得る。
【０００４】
ＵＥの数量が増加しているので、３２セットの共通Ｅ−ＤＣＨリソースがＵＥのアップリンク送信要件を満たすことがほとんどできず、リソースを拡張する必要がある。しかし、ＡＩＣＨでは、基地局は最大３２セットの共通Ｅ−ＤＣＨリソースを示すことができるが、拡張アップリンク送信リソースを示すことはできない。
【発明の概要】
【０００５】
本発明の実施形態は、拡張アップリンク送信リソースを示すことができるように、リソース表示方法、基地局、及びユーザ機器を提供する。
【０００６】
第１態様に従ってユーザ機器が提供され、ユーザ機器は、ランダム・アクセス・プリアンブルを物理ランダム・アクセス・チャネル（ＰＲＡＣＨ）で基地局に送信するよう構成された送信ユニットであって、ＰＲＡＣＨは少なくとも１つのアクイジション・インジケータ・チャネル（ＡＩＣＨ）に対応する、送信ユニットと、補助表示情報を検出し、基地局によって送信されるフィードバック情報を少なくとも１つのＡＩＣＨで検出するよう構成された検出ユニットであって、フィードバック情報はアクイジション・インジケータ（ＡＩ）情報及び拡張アクイジション・インジケータ（ＥＡＩ）情報を含む、検出ユニットと、フィードバック情報及び補助表示情報に従って、Ｍ個のアップリンク送信リソースにおいて、基地局により割り当てられるターゲットリソースのリソースインデックスを決定するよう構成された決定ユニットであって、Ｍは３２より大きい整数である、決定ユニットとを含む。
【０００７】
第１態様に関連して第１態様の第１の可能な実装態様では、決定ユニットは具体的には、ＡＩ情報が肯定応答（ＡＣＫ）である場合、デフォルトリソースのリソースインデックスをターゲットリソースのリソースインデックスとして決定する、又はＡＩ情報が否定応答（ＮＡＣＫ）である場合、補助表示情報に従って、ＥＡＩ情報によって示されるリソースインデックスの範囲を決定し、ＥＡＩ情報の値に対応するリソースインデックスをターゲットリソースのリソースインデックスとして決定するよう構成される。
【０００８】
第１態様の第１の可能な実装態様に関連して第１態様の第２の可能な実装態様では、ユーザ機器は、ランダム・アクセス・パラメータを受信するよう構成された受信ユニットを更に含み、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０００９】
第１態様の第２の可能な実装態様に関連して第１態様の第３の可能な実装態様では、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【００１０】
第１態様の第２の可能な実装態様に関連して第１態様の第４の可能な実装態様では、ＰＲＡＣＨはＡＩＣＨに対応し、ＡＩ情報及びＥＡＩ情報はＡＩＣＨで送信され、補助表示情報はＥＡＩ情報が検出される時間間隔のシリアル番号である。
【００１１】
第１態様の第２の可能な実装態様に関連して第１態様の第５の可能な実装態様では、ＡＩ情報及びＥＡＩ情報は少なくとも１つのＡＩＣＨで送信され、補助表示情報はＥＡＩ情報を搬送するＡＩＣＨのシリアル番号である。
【００１２】
第１態様の第３から第５の可能な実装態様のいずれか１つに関連して第１態様の第６の可能な実装態様では、決定ユニットは具体的には、補助表示情報の値がＫである場合、ＥＡＩ情報によって示されるリソースインデックスの範囲がＡからＢまで（Ａ及びＢを含む）であると決定するよう構成され、Ａ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘはランダム・アクセス・プリアンブルに対応するデフォルトリソースのリソースインデックスである。
【００１３】
第２態様に従って基地局が提供され、基地局は、ユーザ機器（ＵＥ）によって送信されるランダム・アクセス・プリアンブルを物理ランダム・アクセス・チャネル（ＰＲＡＣＨ）で受信するよう構成された受信ユニットであって、ＰＲＡＣＨは少なくとも１つのアクイジション・インジケータ・チャネル（ＡＩＣＨ）に対応する、受信ユニットと、Ｍ個のアップリンク送信リソースにおいて、ＵＥに割り当てられるターゲットリソースのリソースインデックスを決定するよう構成された第１の決定ユニットであって、Ｍは３２より大きい整数である、第１の決定ユニットと、ターゲットリソースのリソースインデックスに従ってフィードバック情報及び補助表示情報を決定するよう構成された第２の決定ユニットであって、フィードバック情報はアクイジション・インジケータ（ＡＩ）情報及び拡張アクイジション・インジケータ（ＥＡＩ）情報を含む、第２の決定ユニットと、少なくとも１つのＡＩＣＨでフィードバック情報を送信するよう構成された送信ユニットとを含む。
【００１４】
第２態様に関連して第２態様の第１の可能な実装態様では、第２の決定ユニットは具体的には、ターゲットリソースのリソースインデックスがデフォルトリソースのリソースインデックスである場合、ＡＩ情報が肯定応答（ＡＣＫ）であると決定する、又はターゲットリソースのリソースインデックスが非デフォルトリソースのリソースインデックスである場合、ＡＩ情報が否定応答（ＮＡＣＫ）であると決定するよう構成される。
【００１５】
第２態様の第１の可能な実装態様に関連して第２態様の第２の可能な実装態様では、基地局は、ＵＥによってネットワーク側から取得されるランダム・アクセス・パラメータを決定するよう構成された第３の決定ユニットを更に含み、ランダム・アクセス・パラメータはＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又はＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間とフィードバック情報が検出される時間との間の期間である。
【００１６】
第２態様の第２の可能な実装態様に関連して第２態様の第３の可能な実装態様では、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【００１７】
第２態様の第２の可能な実装態様に関連して第２態様の第４の可能な実装態様では、ＰＲＡＣＨはＡＩＣＨに対応し、ＡＩ情報及びＥＡＩ情報はＡＩＣＨで送信され、補助表示情報はＥＡＩ情報が送信される時間間隔のシリアル番号である。
【００１８】
第２態様の第２の可能な実装態様に関連して第２態様の第５の可能な実装態様では、ＡＩ情報及びＥＡＩ情報は少なくとも１つのＡＩＣＨで送信され、補助表示情報はＥＡＩ情報を搬送するＡＩＣＨのシリアル番号である。
【００１９】
第２態様の第３から第５の可能な実装態様のいずれか１つに関連して第２態様の第６の可能な実装態様では、第２の決定ユニットは具体的には、ターゲットリソースのリソースインデックスの範囲がＡからＢまで（Ａ及びＢを含む）であって、Ａ＝（Ｘ＋３１×Ｋ＋１）ｍｏｄ  Ｍ、Ｂ＝（Ｘ＋３１×Ｋ＋３１）ｍｏｄ  Ｍである場合、補助表示情報がＫであると決定するよう構成され、Ｋは０より大きい又は０に等しい整数であり、Ｘはランダム・アクセス・プリアンブルに対応するデフォルトリソースのリソースインデックスである。
【００２０】
第３態様に従ってリソース表示方法が提供され、本方法は、物理ランダム・アクセス・チャネル（ＰＲＡＣＨ）でランダム・アクセス・プリアンブルを基地局に送信する段階であって、ＰＲＡＣＨは少なくとも１つのアクイジション・インジケータ・チャネル（ＡＩＣＨ）に対応する、段階と、補助表示情報を検出し、基地局によって送信されるフィードバック情報を少なくとも１つのＡＩＣＨで検出する段階であって、フィードバック情報はアクイジション・インジケータ（ＡＩ）情報及び拡張アクイジション・インジケータ（ＥＡＩ）情報を含む、段階と、フィードバック情報及び補助表示情報に従って、Ｍ個のアップリンク送信リソースにおいて、基地局により割り当てられるターゲットリソースのリソースインデックスを決定する段階であって、Ｍは３２より大きい整数である、段階とを含む。
【００２１】
第３態様に関連して第３態様の第１の可能な実装態様では、フィードバック情報及び補助表示情報に従い、Ｍ個のアップリンク送信リソースにおいて、基地局により割り当てられるターゲットリソースのリソースインデックスを決定する段階は、ＡＩ情報が肯定応答（ＡＣＫ）である場合、デフォルトリソースのリソースインデックスをターゲットリソースのリソースインデックスとして決定する段階、又はＡＩ情報が否定応答（ＮＡＣＫ）である場合、補助表示情報に従って、ＥＡＩ情報によって示されるリソースインデックスの範囲を決定し、ＥＡＩ情報の値に対応するリソースインデックスをターゲットリソースのリソースインデックスとして決定する段階を含む。
【００２２】
第３態様の第１の可能な実装態様に関連して第３態様の第２の可能な実装態様では、ランダム・アクセス・プリアンブルを物理ランダム・アクセス・チャネル（ＰＲＡＣＨ）で送信する段階の前に、本方法は、ランダム・アクセス・パラメータを受信する段階を更に含み、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【００２３】
第３態様の第２の可能な実装態様に関連して第３態様の第３の可能な実装態様では、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【００２４】
第３態様の第２の可能な実装態様に関連して第３態様の第４の可能な実装態様では、ＰＲＡＣＨはＡＩＣＨに対応し、ＡＩ情報及びＥＡＩ情報はＡＩＣＨで送信され、補助表示情報はＥＡＩ情報が検出される時間間隔のシリアル番号である。
【００２５】
第３態様の第２の可能な実装態様に関連して第３態様の第５の可能な実装態様では、ＡＩ情報及びＥＡＩ情報は少なくとも１つのＡＩＣＨで送信され、補助表示情報はＥＡＩ情報を搬送するＡＩＣＨのシリアル番号である。
【００２６】
第３態様の第３から第５の可能な実装態様のいずれか１つに関連して第３態様の第６の可能な実装態様では、ＥＡＩ情報によって示されるリソースインデックスの範囲を補助表示情報に従って決定する段階は、補助表示情報の値がＫである場合、ＥＡＩ情報によって示されるリソースインデックスの範囲がＡからＢまで（Ａ及びＢを含む）であると決定する段階を含み、Ａ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘはランダム・アクセス・プリアンブルに対応するデフォルトリソースのリソースインデックスである。
【００２７】
第４態様に従ってリソース表示方法が提供され、本方法は、ユーザ機器（ＵＥ）によって送信されるランダム・アクセス・プリアンブルを物理ランダム・アクセス・チャネル（ＰＲＡＣＨ）で受信する段階であって、ＰＲＡＣＨは少なくとも１つのアクイジション・インジケータ・チャネル（ＡＩＣＨ）に対応する、段階と、Ｍ個のアップリンク送信リソースにおいて、ＵＥに割り当てられるターゲットリソースのリソースインデックスを決定する段階であって、Ｍは３２より大きい整数である、段階と、ターゲットリソースのリソースインデックスに従ってフィードバック情報と補助表示情報とを決定する段階であって、フィードバック情報はアクイジション・インジケータ（ＡＩ）情報と拡張アクイジション・インジケータ（ＥＡＩ）情報とを含む、段階と、フィードバック情報を少なくとも１つのＡＩＣＨで送信する段階とを含む。
【００２８】
第４態様に関連して第４態様の第１の可能な実装態様では、ターゲットリソースのリソースインデックスに従ってフィードバック情報を決定する段階は、ターゲットリソースのリソースインデックスがデフォルトリソースのリソースインデックスである場合、ＡＩ情報が肯定応答（ＡＣＫ）であると決定する段階、又はターゲットリソースのリソースインデックスが非デフォルトリソースのリソースインデックスである場合、ＡＩ情報がＮＡＣＫであると決定する段階を含む。
【００２９】
第４態様の第１の可能な実装態様に関連して第４態様の第２の可能な実装態様では、本方法は、ＵＥによってネットワーク側から取得されるランダム・アクセス・パラメータを決定する段階を更に含み、ランダム・アクセス・パラメータはＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又はＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間とフィードバック情報が検出される時間との間の期間である。
【００３０】
第４態様の第２の可能な実装態様に関連して第４態様の第３の可能な実装態様では、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【００３１】
第４態様の第２の可能な実装態様に関連して第４態様の第４の可能な実装態様では、ＰＲＡＣＨはＡＩＣＨに対応し、ＡＩ情報及びＥＡＩ情報はＡＩＣＨで送信され、補助表示情報はＥＡＩ情報が送信される時間間隔のシリアル番号である。
【００３２】
第４態様の第２の可能な実装態様に関連して第４態様の第５の可能な実装態様では、ＡＩ情報及びＥＡＩ情報は少なくとも１つのＡＩＣＨで送信され、補助表示情報はＥＡＩ情報を搬送するＡＩＣＨのシリアル番号である。
【００３３】
第４態様の第３から第５の可能な実装態様のいずれか１つに関連して第４態様の第６の可能な実装態様では、ターゲットリソースのリソースインデックスに従って補助表示情報を決定する段階は、ターゲットリソースのリソースインデックスの範囲がＡからＢまで（Ａ及びＢを含む）であって、Ａ＝（Ｘ＋３１×Ｋ＋１）ｍｏｄ  Ｍ、Ｂ＝（Ｘ＋３１×Ｋ＋３１）ｍｏｄ  Ｍである場合、補助表示情報がＫであると決定する段階を含み、Ｋは０より大きい又は０に等しい整数であり、Ｘはランダム・アクセス・プリアンブルに対応するデフォルトリソースのリソースインデックスである。
【００３４】
本発明の実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明の実施形態では、拡張アップリンク送信リソースが示され得る。
【図面の簡単な説明】
【００３５】
本発明の実施形態における技術的解決手法をより明確に説明すべく、本発明の実施形態を説明するために必要な添付図面を以下に簡潔に説明する。以下の説明における添付図面は、単に本発明のいくつかの実施形態を示すに過ぎず、それでも当業者であれば、創造的努力をすることなくこれらの添付図面から他の図面を導き出し得ることは明らかである。
【００３６】
【図１】本発明の実施形態による適用可能なシナリオの概略図である。
【００３７】
【図２】本発明の実施形態によるユーザ機器の概略ブロック図である。
【００３８】
【図３】本発明の実施形態による基地局の概略ブロック図である。
【００３９】
【図４】本発明の実施形態によるリソース表示方法の概略フローチャートである。
【００４０】
【図５】本発明の別の実施形態によるリソース表示方法の概略フローチャートである。
【００４１】
【図６】本発明の実施形態によるリソース表示プロセスの概略フローチャートである。
【００４２】
【図７】本発明の別の実施形態によるリソース表示プロセスの概略フローチャートである。
【００４３】
【図８】本発明の別の実施形態によるリソース表示プロセスの概略フローチャートである。
【００４４】
【図９】本発明の別の実施形態によるリソース表示プロセスの概略フローチャートである。
【００４５】
【図１０】本発明の別の実施形態によるユーザ機器のブロック図である。
【００４６】
【図１１】本発明の別の実施形態による基地局のブロック図である。
【発明を実施するための形態】
【００４７】
本発明の実施形態の添付図面を参照して、本発明の実施形態における技術的解決手法を以下に明確に説明する。説明される実施形態は、本発明の実施形態の全てではなく、その一部であることは明らかである。本発明の実施形態に基づき、創造的努力をすることなく当業者によって得られる他の全ての実施形態は、本発明の保護範囲内に含まれることになる。
【００４８】
本発明の実施形態の技術的解決手法は様々な通信システムに適用されてよいことが理解されるべきであり、それらの通信システムは、移動体通信用グローバルシステム（ＧＳＭ（登録商標））のシステム、符号分割多重接続（ＣＤＭＡ）システム、広帯域符号分割多重接続（ＷＣＤＭＡ（登録商標））システム、汎用パケット無線サービス（ＧＰＲＳ）、ロングタームエボリューション（ＬＴＥ）システム、ＬＴＥ周波数分割複信（ＦＤＤ）システム、ＬＴＥ時分割複信（ＬＴＥ  ＴＤＤ）システム、ユニバーサル移動体通信システム（ＵＭＴＳ）、又はワールドワイド・インターオペラビリティ・フォー・マイクロウェーブ・アクセス（ＷｉＭＡＸ）通信システムなどである。
【００４９】
本発明の実施形態において、ユーザ機器（ＵＥ）は、端末、移動局（ＭＳ）、移動端末などと呼ばれ得ることが理解されるべきである。ユーザ機器は、無線アクセスネットワーク（ＲＡＮ）を通じて１つ又は複数のコアネットワークと通信し得る。例えば、ユーザ機器は携帯電話（「セルラー方式」の電話とも呼ばれる）、又は移動端末を有するコンピュータであってよい。例えば、ユーザ機器はまた、ポータブル型、ポケットサイズ型、ハンドヘルド型、コンピュータ内蔵型、車載型の移動体装置であってよく、無線アクセスネットワークを用いて音声及び／又はデータを交換する。
【００５０】
本発明の実施形態では、基地局はＧＳＭ（登録商標）又はＣＤＭＡ方式の基地局（ＢＴＳ）であってよく、あるいはＷＣＤＭＡ（登録商標）方式の基地局（ＮｏｄｅＢ又は「ＮＢ」）又は無線ネットワークコントローラ（ＲＮＣ）であってもよく、あるいは更にＬＴＥ方式の進化型ＮｏｄｅＢ（ｅＮＢ又はｅ−ＮｏｄｅＢ）であってもよい。このことは、本発明において限定されない。
【００５１】
図１は、本発明の実施形態による適用可能なシナリオの概略図である。図１に示されるように、このシナリオはＵＥ１１と基地局１２とを含み、ＵＥ１１がＰＲＡＣＨでランダムアクセスを実行するプロセスは以下の通りである。
【００５２】
ＵＥ１１は、ネットワーク側から取得されるランダム・アクセス・パラメータに従って、ランダム・アクセス・プリアンブルを物理ランダム・アクセス・チャネル（ＰＲＡＣＨ）で基地局１２に送信する。基地局１２はフィードバック情報をＵＥ１１にＡＩＣＨで送信し、フィードバック情報は、アップリンク送信を実行するのにＵＥ１１により用いられるリソースを示し得る。ＵＥ１１はフィードバック情報をＡＩＣＨで検出し、フィードバック情報により示されるリソースでアップリンク送信を実行する。アップリンク送信に用いられるリソースは、共通Ｅ−ＤＣＨリソースであってよい。
【００５３】
ＵＥの数量が増加すると、最大３２セットの既存のリソースではＵＥのデータ送信要件をほとんど満たすことができない。従って、最大３２セットの既存のリソースは、拡張されたＭ個のリソースを取得すべく拡張される必要がある。Ｍは３２より大きい整数である。基地局１２はＭ個のリソースを示す必要がある。具体的なリソース表示方法、基地局、及びユーザ機器を以下に詳細に説明する。
【００５４】
図２は、本発明の実施形態によるユーザ機器の概略ブロック図である。ユーザ機器２０は、図１に示されるランダム・アクセス・プロセスに適用されてよい。ユーザ機器２０は、送信ユニット２１と、検出ユニット２２と、決定ユニット２３とを含んでよい。
【００５５】
送信ユニット２１は、ランダム・アクセス・プリアンブルを物理ランダム・アクセス・チャネル（ＰＲＡＣＨ）で基地局に送信するよう構成される。ＰＲＡＣＨは、少なくとも１つのアクイジション・インジケータ・チャネル（ＡＩＣＨ）に対応する。
【００５６】
検出ユニット２２は、補助表示情報を検出し、基地局により送信されるフィードバック情報を少なくとも１つのＡＩＣＨで検出するよう構成される。フィードバック情報は、アクイジション・インジケータ（ＡＩ）情報と、拡張アクイジション・インジケータ（ＥＡＩ）情報とを含む。
【００５７】
決定ユニット２３は、フィードバック情報と補助表示情報とに従って、Ｍ個のアップリンク送信リソースにおいて、基地局により割り当てられるターゲットリソースのリソースインデックスを決定するよう構成される。Ｍは３２より大きい整数である。
【００５８】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【００５９】
ＵＥは、基地局により送信されるＡＩ情報及びＥＡＩ情報を同じＡＩＣＨで検出してよく、又はＡＩ情報及びＥＡＩ情報を異なるＡＩＣＨで別々に検出してもよいことが理解されるべきである。検出されたＡＩ情報及びＥＡＩ情報は両方とも、ターゲットリソース、すなわちアップリンク送信に用いられるリソースを示し得る。
【００６０】
基地局によりＡＩＣＨで送信されるフィードバック情報は、アクイジション・インジケータ（ＡＩ）情報と拡張アクイジション・インジケータ（ＥＡＩ）情報とを含んでよく、又はＥＡＩ情報だけを含んでもよく、又はＡＩ情報だけを含んでもよい。すなわち、基地局はＡＩＣＨを通じてＥＡＩだけを送信してよく、又はＡＩ及びＥＡＩの両方を送信してもよい。ＡＩ及びＥＡＩは肯定応答（ＡＣＫ）であってよく、又は否定応答（ＮＡＣＫ）であってもよい。フィードバック情報内のＡＩ及びＥＡＩの両方の値がＮＡＣＫである場合、ＵＥのランダム・アクセス・プロセスが拒否される。すなわち、このランダム・アクセス・プロセスにおいてＵＥは利用可能なリソースを何も取得しない。
【００６１】
任意で、ある実施形態において、ＡＩ情報がＡＣＫである場合、決定ユニット２３は、デフォルトリソースのリソースインデックスをターゲットリソースのリソースインデックスとして決定してよい、又はＡＩ情報が否定応答（ＮＡＣＫ）である場合、決定ユニット２３は、補助表示情報に従って、ＥＡＩ情報により示されるリソースインデックスの範囲を決定し、ＥＡＩ情報の値に対応するリソースインデックスをターゲットリソースのリソースインデックスとして決定してもよい。
【００６２】
ＡＩ情報はデフォルトリソースが利用可能かどうかを示してよく、ＥＡＩ情報は別のリソースが利用可能かどうかを示してよいことが理解されるべきである。異なる値のＥＡＩ情報は、異なるリソースのリソースインデックスに対応する。例えば、ＡＩ情報がＡＣＫである場合、決定ユニット２３は、ＵＥがランダム・アクセス・プリアンブルに対応するデフォルトリソースを用いると決定してよい。例えば、デフォルトリソースのリソースインデックスがＸである場合、この場合には、ＵＥは、リソースインデックスがＸである対応するデフォルトリソースを用いてアップリンクデータ送信を実行してよい。
【００６３】
任意で、別の実施形態において、ユーザ機器２０は、ランダム・アクセス・パラメータを受信するよう構成された受信ユニット２４を更に含んでよく、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【００６４】
ランダム・アクセス・パラメータは、ＰＲＡＣＨとランダムアクセスに用いられる関連パラメータとに関する情報を含んでよく、関連パラメータは、ＰＲＡＣＨに対応する少なくとも１つのＡＩＣＨのシリアル番号、又はＵＥがランダム・アクセス・プリアンブルを送信する時間間隔などである。ランダム・アクセス・パラメータを取得した後、ＵＥは、ランダム・アクセス・パラメータに従って、ランダムアクセス署名及びアクセスタイムスロットを選択し、ランダム・アクセス・プリアンブルを基地局に送信してよい。ＵＥにより送信されるランダム・アクセス・プリアンブルを受信した後、基地局はフィードバック情報をＡＩＣＨでＵＥに送信してよい。フィードバック情報は、ＵＥがリソースを何も用いることができないことを示す、又は、ＵＥにより用いられ得るリソースのシリアル番号を示す。ＵＥは、基地局により送信されるフィードバック情報をＡＩＣＨで検出してよい。
【００６５】
任意で、ＡＩＣＨのシリアル番号は、ＡＩＣＨのチャネル化コードであってよい。ＰＲＡＣＨが１つのＡＩＣＨに対応する場合、ランダム・アクセス・パラメータはＰＲＡＣＨに対応するＡＩＣＨのシリアル番号を含んでよく、又はＰＲＡＣＨが少なくとも２つのＡＩＣＨに対応する場合、ランダム・アクセス・パラメータは、ＰＲＡＣＨに対応する少なくとも２つのＡＩＣＨのシリアル番号を含んでよい。
【００６６】
検出表示情報は、補助表示情報を検出するようＵＥに命令するのに用いられてよい。
【００６７】
任意で、ある実施形態において、ＰＲＡＣＨがＡＩＣＨに対応し、且つランダム・アクセス・パラメータがＡＩＣＨのシリアル番号と検出表示情報とを含む場合、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【００６８】
基地局はＡＩ情報及びＥＡＩ情報をＡＩＣＨで送信し、補助表示情報を同じＡＩＣＨで更に送信する。すなわち、この場合には、１つのＰＲＡＣＨが１つのＡＩＣＨだけに対応する。任意で、ＡＩＣＨの各タイムスロットの最後の１０２４チップには合計８ビットの予備情報がある。予備情報は、補助表示情報を搬送するのに用いられてよい。
【００６９】
任意で、現行のＡＩＣＨの各タイムスロットの最後の１０２４チップの予備情報の一部は、補助表示情報を送信するのに用いられてよい。更に、補助表示情報がＡＩＣＨの各タイムスロットの最後の１０２４チップで送信される場合、補助表示情報を搬送するチャネルと、ＡＩが検出されるＡＩＣＨとは、異なるチャネル化コードを用いてよい。すなわち、ＡＩ及び補助表示情報が時分割方式及び符号分割方式で送信される。
【００７０】
具体的には、この実施形態において、リソースは以下の表１のリソース表示形式で示され得る。
【表１】
0006399719.tif 000002
【００７１】
ＮＡは、基地局が情報を送信しないことを示す。Ｘは、ＵＥにより選択されるアクセス署名に対応するデフォルトリソースのリソースインデックスであり得る。Ｋが０である場合、又は情報が送信されない場合、ＥＡＩ情報によって示されるリソースインデックスの範囲は、（Ｘ＋１）ｍｏｄ  Ｍから（Ｘ＋３１）ｍｏｄ  Ｍまでであってよく、あるいはＫが１である場合、ＥＡＩ情報によって示されるリソースインデックスの範囲は、（Ｘ＋３２）ｍｏｄ  Ｍから（Ｘ＋６２）ｍｏｄ  Ｍまでであってよい。
【００７２】
決定ユニット２３は、ＡＩ情報がＡＣＫである場合、Ｘをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【００７３】
任意で、別の実施形態において、ＰＲＡＣＨがＡＩＣＨに対応し、且つランダム・アクセス・パラメータがＡＩＣＨのシリアル番号及び少なくとも１つの時間間隔を含む場合、ＡＩ情報及びＥＡＩ情報はＡＩＣＨで送信され、補助表示情報はＥＡＩ情報が検出される時間間隔のシリアル番号である。ＡＩＣＨのシリアル番号は、ＡＩＣＨチャネルのチャネル化コードであってよい。
【００７４】
ランダム・アクセス・プリアンブルを基地局に送信した後、ＵＥは、ランダム・アクセス・パラメータに提供される少なくとも１つの時間間隔において、ＡＩＣＨでフィードバック情報を別々に検出することが理解されるべきである。例えば、ランダム・アクセス・パラメータは、７６８０チップ、１２８００チップ、及び２０４８０チップなど、複数の時間間隔を含んでよい。これは、ランダム・アクセス・プリアンブルを送信した後、ランダム・アクセス・プロセスが終了するまで、ＵＥは７６８０チップ、１２８００チップ、及び２０４８０チップでフィードバック情報を別々に検出することを示す。補助表示情報は、ＥＡＩ情報が検出される時間間隔のシリアル番号である。シリアル番号は、ＥＡＩ情報がＮ番目の時間間隔で検出されることを示してよい。例えば、ＵＥが７６８０チップでＥＡＩを検出した場合、対応する時間間隔のシリアル番号は０である。Ｎは０より大きい又は０に等しい整数である。ネットワーク側により構成される時間間隔の順序に従って、ＵＥは時間間隔に０から開始する番号を付け得ることが好ましい。
【００７５】
この実施形態において、リソースはまた、前述の表１のリソース表示形式で示され得る。
【００７６】
補助表示情報の値がＫである場合、決定ユニット２３は、ＥＡＩ情報によって示されるリソースインデックスの範囲がＡからＢまでと決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、ＭはＵＥに割り当てられ得るアップリンク送信リソースの合計数であり、Ｘはランダム・アクセス・プリアンブルに対応するデフォルトリソースのリソースインデックスである。
【００７７】
具体的には、Ｋが０に等しい場合（例えば、上記においてＥＡＩ情報が７６８０チップの時間間隔で検出される場合）、ＥＡＩ情報によって示されるリソースインデックスの範囲は、（Ｘ＋１）ｍｏｄ  Ｍから（Ｘ＋３１）ｍｏｄ  Ｍまでであってよく、あるいはＫが１に等しい場合（例えば、上記においてＥＡＩ情報が１２８００チップの時間間隔で検出される場合）、ＥＡＩ情報によって示されるリソースインデックスの範囲は、（Ｘ＋３２）ｍｏｄ  Ｍから（Ｘ＋６２）ｍｏｄ  Ｍまでであってよく、あるいはＫが２に等しい場合（例えば、上記においてＥＡＩ情報が２０４８０チップの時間間隔で検出される場合）、ＥＡＩ情報によって示されるリソースインデックスの範囲は、（Ｘ＋６３）ｍｏｄ  Ｍから（Ｘ＋９３）ｍｏｄ  Ｍまでであってよい。
【００７８】
同様に、決定ユニット２３は、ＡＩ情報がＡＣＫである場合、デフォルトリソースのリソースインデックスＸをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【００７９】
任意で、別の実施形態において、フィードバック情報及び補助表示情報を取得した後、決定ユニット２３は、フィードバック情報の値、及び／又はＡ＝（Ｘ＋３１×Ｋ＋１）ｍｏｄ  Ｍ、Ｂ＝（Ｘ＋３１×Ｋ＋３１）ｍｏｄ  Ｍの式に従って、ＵＥにより用いられ得るターゲットリソースのリソースインデックスを直接取得してよい。
【００８０】
任意で、別の実施形態において、ＰＲＡＣＨは少なくとも２つのＡＩＣＨに対応する場合、ランダム・アクセス・パラメータは、ＰＲＡＣＨに対応する少なくとも２つのＡＩＣＨのシリアル番号を含んでよい。ＡＩ情報及びＥＡＩ情報は少なくとも２つのＡＩＣＨで送信され、ＥＡＩが検出される場合、補助表示情報は、ＥＡＩ情報を搬送するＡＩＣＨのシリアル番号である。ランダム・アクセス・パラメータ内のシリアル番号は、ネットワーク側により直接送信される。代替的に、シリアル番号は、ネットワーク側により送信されるＡＩＣＨ構成情報の順序に従って、ＡＩＣＨに０から開始する番号を付けることでＵＥにより間接的に取得されてよく、又はシグナリングを用いることでネットワーク側によって明示的に構成されてもよい。
【００８１】
１つのＰＲＡＣＨが複数のＡＩＣＨに対応する場合、デフォルトリソースが利用できないならば、フィードバック情報はＥＡＩ情報だけを含んでよく、ＡＩ情報を含まなくてもよいことが好ましい。すなわち、ＡＩ情報はどのＡＩＣＨでも送信されない。
【００８２】
ＡＩ情報及びＥＡＩ情報は、以下の方法において少なくとも１つのＡＩＣＨで送信されてよいことが理解されるべきである。つまり、ＡＩ情報及びＥＡＩ情報は１つのＡＩＣＨで送信されてよい、又は、ＡＩ情報及びＥＡＩ情報は異なるＡＩＣＨで送信されてよい。
【００８３】
ＡＩ情報及びＥＡＩ情報は、２つの方法において少なくとも２つのＡＩＣＨで送信される。
【００８４】
方法１の場合、ＡＩ情報は少なくとも２つのＡＩＣＨの１つのＡＩＣＨだけで送信され得、ＥＡＩ情報は残りのＡＩＣＨだけで送信され得る。
【００８５】
ＥＡＩ情報を搬送するＡＩＣＨのシリアル番号がＫであり、Ｋが０より大きい又は０に等しい整数である場合、この実施形態では、リソースはまた、前述の表１のリソース表示形式で示されてよい。
【００８６】
補助表示情報の値がＫである場合、決定ユニット２３は、ＥＡＩ情報によって示されるリソースインデックスの範囲がＡからＢまでと決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、ＭはＵＥに割り当てられ得るアップリンク送信リソースの合計数であり、Ｘはランダム・アクセス・プリアンブルに対応するデフォルトリソースのリソースインデックスである。
【００８７】
具体的には、ＥＡＩ情報を搬送するＡＩＣＨのシリアル番号Ｋが０に等しい場合、ＥＡＩ情報によって示されるリソースインデックスの範囲は、（Ｘ＋１）ｍｏｄ  Ｍから（Ｘ＋３１）ｍｏｄ  Ｍまでであってよく、あるいはＥＡＩ情報を搬送するＡＩＣＨのシリアル番号Ｋが１に等しい場合、ＥＡＩ情報によって示されるリソースインデックスの範囲は、（Ｘ＋３２）ｍｏｄ  Ｍから（Ｘ＋６２）ｍｏｄ  Ｍまでであってよく、あるいはＥＡＩ情報を搬送するＡＩＣＨのシリアル番号Ｋが２に等しい場合、ＥＡＩ情報によって示されるリソースインデックスの範囲は、（Ｘ＋６３）ｍｏｄ  Ｍから（Ｘ＋９３）ｍｏｄ  Ｍまでであってよい。
【００８８】
同様に、決定ユニット２３は、ＡＩ情報がＡＣＫである場合、デフォルトリソースのリソースインデックスＸをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【００８９】
方法２の場合、ＡＩ情報及びＥＡＩ情報は、少なくとも２つのＡＩＣＨの各ＡＩＣＨで送信され得るが、１つの時間間隔においては１つのＡＩＣＨだけで送信される。
【００９０】
具体的には、少なくとも２つのＡＩＣＨにそれぞれ対応するデフォルトリソースのリソースインデックスが、Ｘ、Ｙ、Ｚなどであると仮定するならば、この場合において、ＡＩＣＨで送信されるＥＡＩ情報によって示されるリソースインデックスの範囲はそれぞれ、（Ｘ＋１）ｍｏｄ  Ｍから（Ｘ＋３１）ｍｏｄ  Ｍまで、（Ｙ＋１）ｍｏｄ  Ｍから（Ｙ＋３１）ｍｏｄ  Ｍまで、（Ｚ＋１）ｍｏｄ  Ｍから（Ｚ＋３１）ｍｏｄ  Ｍまで、などであり得る。
【００９１】
同様に、ＵＥの決定ユニット２３は、ＡＩ情報がＡＣＫである場合、Ｘをターゲットリソースのリソースインデックスとして決定してよく、又はＡＩ情報がＮＡＣＫである場合、ＥＡＩ情報によって示されるリソースインデックスの範囲を決定し、ＥＡＩ情報の値に対応するリソースインデックスをターゲットリソースのリソースインデックスとして決定してよい。
【００９２】
例えば、ＰＲＡＣＨが２つのＡＩＣＨに対応する場合、この実施形態において、リソースは以下の表２のリソース表示形式で示され得る。
【表２】
0006399719.tif 000003
【００９３】
ＡＩ１及びＥＡＩ１は１番目のＡＩＣＨチャネルで送信され、ＡＩ２及びＥＡＩ２は２番目のＡＩＣＨチャネルで送信され、ＸはＡＩＣＨにおけるデフォルトリソースのリソースインデックスである。Ｙは別のＡＩＣＨにおけるデフォルトリソースのリソースインデックスである。
【００９４】
リソースはまた、ＡＩＣＨの数量が３つ、４つなどの場合、表２のリソース表示形式で示されてよいことが理解されるべきである。例えば、第３のＡＩＣＨにおけるデフォルトリソースのリソースインデックスがＺである場合、第３のＡＩＣＨのＥＡＩ情報によって示されるリソースインデックスの範囲は（Ｚ＋１）ｍｏｄ  Ｍから（Ｚ＋３１）ｍｏｄ  Ｍまでであり、その他はこれから推定され得る。
【００９５】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【００９６】
図３は、本発明の実施形態による基地局の概略ブロック図である。基地局３０は、図１に示されるランダム・アクセス・プロセスに適用されてよい。基地局３０は、受信ユニット３１と、第１の決定ユニット３２と、第２の決定ユニット３３と、送信ユニット３４とを含んでよい。
【００９７】
受信ユニット３１は、ユーザ機器（ＵＥ）により送信されるランダム・アクセス・プリアンブルを物理ランダム・アクセス・チャネル（ＰＲＡＣＨ）で受信するよう構成される。ＰＲＡＣＨは、少なくとも１つのアクイジション・インジケータ・チャネル（ＡＩＣＨ）に対応する。
【００９８】
第１の決定ユニット３２は、Ｍ個のアップリンク送信リソースにおいてＵＥに割り当てられるターゲットリソースのリソースインデックスを決定するよう構成される。Ｍは３２より大きい整数である。
【００９９】
第２の決定ユニット３３は、ターゲットリソースのリソースインデックスに従って、フィードバック情報及び補助表示情報を決定するよう構成される。フィードバック情報は、アクイジション・インジケータ（ＡＩ）情報と拡張アクイジション・インジケータ（ＥＡＩ）情報とを含む。
【０１００】
送信ユニット３４は、少なくとも１つのＡＩＣＨでフィードバック情報を送信するよう構成される。
【０１０１】
本発明のこの実施形態では、補助表示情報が決定され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０１０２】
ＵＥは、基地局により送信されるＡＩ情報及びＥＡＩ情報を同じＡＩＣＨで検出してよく、又はＡＩ情報及びＥＡＩ情報を異なるＡＩＣＨで別々に検出してもよいことが理解されるべきである。検出されたＡＩ情報及びＥＡＩ情報は両方とも、ターゲットリソース、すなわちアップリンク送信に用いられるリソースを示し得る。
【０１０３】
基地局によりＡＩＣＨで送信されるフィードバック情報は、アクイジション・インジケータ（ＡＩ）情報と拡張アクイジション・インジケータ（ＥＡＩ）情報とを含んでよく、又はＥＡＩ情報だけを含んでもよく、又はＡＩ情報だけを含んでもよい。すなわち、基地局はＡＩＣＨを通じてＥＡＩだけを送信してよく、又はＡＩ及びＥＡＩの両方を送信してもよい。ＡＩ及びＥＡＩは肯定応答（ＡＣＫ）であってよく、又は否定応答（ＮＡＣＫ）であってもよい。フィードバック情報内のＡＩ及びＥＡＩの両方の値がＮＡＣＫである場合、ＵＥのランダム・アクセス・プロセスが拒否される。すなわち、このランダム・アクセス・プロセスにおいてＵＥは利用可能なリソースを何も取得しない。
【０１０４】
任意で、ある実施形態において、ターゲットリソースのリソースインデックスがデフォルトリソースのリソースインデックスＸである場合、第２の決定ユニット３３はＡＩ情報が肯定応答（ＡＣＫ）であると決定してよく、又はターゲットリソースのリソースインデックスが非デフォルトリソースのリソースインデックスである場合、すなわち、ターゲットリソースのリソースインデックスがＸでない場合、ターゲットリソースのリソースインデックスに従って、第２の決定ユニット３３は、補助表示情報及びＥＡＩ情報を決定してよく、ＡＩ情報が否定応答（ＮＡＣＫ）であると決定してよい。
【０１０５】
ＡＩ情報はデフォルトリソースが利用可能かどうかを示してよく、ＥＡＩ情報は別のリソースが利用可能かどうかを示してよいことが理解されるべきである。異なる値のＥＡＩ情報は、異なるリソースのリソースインデックスに対応する。例えば、ＵＥがランダム・アクセス・プリアンブルに対応するデフォルトリソースを用いる場合、第２の決定ユニット３３は、ＡＩ情報はＡＣＫであると決定してよい。例えば、デフォルトリソースのリソースインデックスがＸであり、リソースインデックスがＸである対応するデフォルトリソースを用いることでＵＥがアップリンクデータ送信を実行する場合、第２の決定ユニット３３は、ＡＩ情報がＡＣＫであると決定してよい。
【０１０６】
任意で、別の実施形態において、基地局３０は、ネットワーク側からＵＥにより取得されるランダム・アクセス・パラメータを決定するよう構成された第３の決定ユニット３５を更に含んでよく、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０１０７】
第３の決定ユニット３５は、受信ユニット３１がランダム・アクセス・プリアンブルを受信する前に前述の段階を実行してよい。ランダム・アクセス・プリアンブルは、無線ネットワークコントローラ（ＲＮＣ）によってＮｏｄｅＢに送信されることが好ましい。
【０１０８】
ランダム・アクセス・パラメータは、ＰＲＡＣＨとランダムアクセスに用いられる関連パラメータとに関する情報を含んでよく、関連パラメータは、ＰＲＡＣＨに対応する少なくとも１つのＡＩＣＨのシリアル番号、又はＵＥがランダム・アクセス・プリアンブルを送信する時間間隔などである。ランダム・アクセス・パラメータを取得した後、基地局は、ＵＥにより送信されるランダム・アクセス・プリアンブルをランダム・アクセス・パラメータに従って検出してよい。ＵＥにより送信されるランダム・アクセス・プリアンブルを受信した後、基地局はフィードバック情報をＡＩＣＨでＵＥに送信してよい。フィードバック情報は、ＵＥがリソースを何も用いることができないことを示す、又は、ＵＥにより用いられ得るリソースのシリアル番号を示す。ＵＥは、基地局により送信されるフィードバック情報をＡＩＣＨで検出してよい。
【０１０９】
任意で、ＡＩＣＨのシリアル番号は、ＡＩＣＨのチャネル化コードであってよい。ＰＲＡＣＨが１つのＡＩＣＨに対応する場合、ランダム・アクセス・パラメータはＰＲＡＣＨに対応するＡＩＣＨのシリアル番号を含んでよく、又はＰＲＡＣＨが少なくとも２つのＡＩＣＨに対応する場合、ランダム・アクセス・パラメータは、ＰＲＡＣＨに対応する少なくとも２つのＡＩＣＨのシリアル番号を含んでよい。
【０１１０】
検出表示情報は、基地局が補助表示情報を送信し得ることを示すのに用いられてよい。
【０１１１】
任意で、ある実施形態において、ＰＲＡＣＨがＡＩＣＨに対応し、且つランダム・アクセス・パラメータがＡＩＣＨのシリアル番号と検出表示情報とを含む場合、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【０１１２】
基地局はＡＩ情報及びＥＡＩ情報をＡＩＣＨで送信し、補助表示情報を同じＡＩＣＨで更に送信する。すなわち、この場合には、１つのＰＲＡＣＨが１つのＡＩＣＨだけに対応する。任意で、ＡＩＣＨの各タイムスロットの最後の１０２４チップには合計８ビットの予備情報がある。予備情報は、補助表示情報を搬送するのに用いられてよい。
【０１１３】
任意で、現行のＡＩＣＨの各タイムスロットの最後の１０２４チップの予備情報の一部は、補助表示情報を送信するのに用いられてよい。更に、補助表示情報がＡＩＣＨの各タイムスロットの最後の１０２４チップで送信される場合、補助表示情報を搬送するチャネルと、ＡＩが送信されるＡＩＣＨチャネルとは、異なるチャネル化コードを用いてよい。すなわち、ＡＩ及び補助表示情報が時分割方式及び符号分割方式で送信される。
【０１１４】
具体的には、この実施形態において、リソースは前述の表１のリソース表示形式で示され得る。繰り返しを回避すべく、詳細は改めてここで説明されない。
【０１１５】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、第２の決定ユニット３３は、補助表示情報がＫであると決定してよく、Ｋは０より大きい又は０に等しい整数であり、Ｘはランダム・アクセス・プリアンブルに対応するデフォルトリソースのリソースインデックスである。
【０１１６】
具体的には、Ｘは、ＵＥにより選択されるアクセス署名に対応するデフォルトリソースのリソースインデックスであってよい。ＥＡＩ情報によって示されるリソースインデックスの範囲が（Ｘ＋１）ｍｏｄ  Ｍから（Ｘ＋３１）ｍｏｄ  Ｍまでであり、Ｘがターゲットリソースのリソースインデックスである場合、Ｋが０であり何も送信されないこと、及びＡＩ情報がＡＣＫであることが決定されてよく、又はＥＡＩ情報によって示されるリソースインデックスの範囲が（Ｘ＋３２）ｍｏｄ  Ｍから（Ｘ＋６２）ｍｏｄ  Ｍまでであってよい場合、Ｋが１であることが決定される。
【０１１７】
例として０に等しいＸを用いると、ターゲットリソースインデックスが３４である場合、基地局は、デフォルトリソースが利用できないこと、及びＡＩがＮＡＣＫであることを決定し、補助表示情報Ｋが１であること、及びＥＡＩ情報によって示されるリソースインデックスが３４であることを決定する。ＥＡＩにより示されるリソースインデックス値３４は、ＥＡＩを用いてＵＥに直接送信される代わりに、計算で取得される。
【０１１８】
第２の決定ユニット３３は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０１１９】
任意で、別の実施形態において、ＰＲＡＣＨがＡＩＣＨに対応し、且つランダム・アクセス・パラメータがＡＩＣＨのシリアル番号及び少なくとも１つの時間間隔を含む場合、ＡＩ情報及びＥＡＩ情報はＡＩＣＨで送信され、補助表示情報はＥＡＩ情報が送信される時間間隔のシリアル番号である。ＡＩＣＨのシリアル番号は、ＡＩＣＨチャネルのチャネル化コードであってよい。
【０１２０】
ランダム・アクセス・プリアンブルを基地局に送信した後、ＵＥは、ランダム・アクセス・パラメータに提供される少なくとも１つの時間間隔において、ＡＩＣＨでフィードバック情報を別々に検出することが理解されるべきである。例えば、ランダム・アクセス・パラメータは、７６８０チップ、１２８００チップ、及び２０４８０チップなど、複数の時間間隔を含んでよい。これは、ランダム・アクセス・プリアンブルを送信した後、ランダム・アクセス・プロセスが終了するまで、ＵＥは７６８０チップ、１２８００チップ、及び２０４８０チップでフィードバック情報を別々に検出することを示す。それに応じて、ＵＥにより送信されるアクセスプリアンブルを検出した後、基地局は前述の時間間隔のいずれか１つでフィードバック情報を送信してよい。ターゲットリソースのリソースインデックスに従って、基地局はＫ番目の時間間隔においてフィードバック情報を送信すると決定し、フィードバック情報の値を決定する。例として０に等しいＸを用いると、ターゲットリソースインデックスが３である場合、基地局は、プリアンブルを検出した後、７６８０チップの間隔においてＥＡＩを送信し、この場合、補助表示情報Ｋは０である。ネットワーク側により構成される時間間隔の順序に従って、基地局は時間間隔に０から開始する番号を付け得ることが好ましい。
【０１２１】
この実施形態において、リソースはまた、前述の表１のリソース表示形式で示され得る。
【０１２２】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、第２の決定ユニット３３は、補助表示情報がＫであると決定してよく、Ｋは０より大きい又は０に等しい整数であり、Ｘはランダム・アクセス・プリアンブルに対応するデフォルトリソースのリソースインデックスである。
【０１２３】
具体的には、ターゲットリソースのリソースインデックスの範囲が、（Ｘ＋１）ｍｏｄ  Ｍから（Ｘ＋３１）ｍｏｄ  Ｍまでの場合、第２の決定ユニット３３は、Ｋが０に等しい（例えば、上記においてＥＡＩ情報が７６８０チップの時間間隔で検出される）と決定してよく、又はターゲットリソースのリソースインデックスの範囲が、（Ｘ＋３２）ｍｏｄ  Ｍから（Ｘ＋６２）ｍｏｄ  Ｍまでの場合、第２の決定ユニット３３は、Ｋが１に等しい（例えば、上記においてＥＡＩ情報が１２８００チップの時間間隔で検出される）と決定してよく、又はターゲットリソースのリソースインデックスの範囲が、（Ｘ＋６３）ｍｏｄ  Ｍから（Ｘ＋９３）ｍｏｄ  Ｍまでの場合、第２の決定ユニット３３は、Ｋが２に等しい（例えば、上記においてＥＡＩ情報が２０４８０チップの時間間隔で検出される）と決定してよい。
【０１２４】
具体的には、例として１であるデフォルトのリソースインデックスを用いると、ターゲットリソースインデックスの値が３である場合、基地局は、アクセスプリアンブルを検出した後に、７６８０チップの間隔においてフィードバック情報を送信してよく、又はターゲットリソースインデックスの値が４３である場合、基地局は、アクセスプリアンブルを検出した後に、１２８００チップの間隔においてフィードバック情報を送信してよく、又はターゲットリソースインデックスの値が８３である場合、基地局は、アクセスプリアンブルを検出した後に、２０４８０チップの間隔においてフィードバック情報を送信してよい。
【０１２５】
同様に、第２の決定ユニット３３は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０１２６】
任意で、別の実施形態において、ＰＲＡＣＨは少なくとも２つのＡＩＣＨに対応する場合、ランダム・アクセス・パラメータは、ＰＲＡＣＨに対応する少なくとも２つのＡＩＣＨのシリアル番号を含んでよい。ＡＩ情報及びＥＡＩ情報は少なくとも２つのＡＩＣＨで送信され、ＥＡＩが検出される場合、補助表示情報は、ＥＡＩ情報を搬送するＡＩＣＨのシリアル番号である。ランダム・アクセス・パラメータ内のシリアル番号は、ネットワーク側により直接送信される。代替的に、シリアル番号は、ネットワーク側により送信されるＡＩＣＨ構成情報の順序に従って、ＡＩＣＨに０から開始する番号を付けることでＵＥにより間接的に取得されてよく、又はシグナリングを用いることでネットワーク側によって明示的に構成されてもよい。
【０１２７】
１つのＰＲＡＣＨが複数のＡＩＣＨに対応する場合、デフォルトリソースが利用できないならば、フィードバック情報はＥＡＩ情報だけを含んでよく、ＡＩ情報を含まなくてもよいことが好ましい。すなわち、ＡＩ情報はどのＡＩＣＨでも送信されない。
【０１２８】
ＡＩ情報及びＥＡＩ情報は、以下の方法において少なくとも１つのＡＩＣＨで送信されてよいことが理解されるべきである。つまり、ＡＩ情報及びＥＡＩ情報は１つのＡＩＣＨで送信されてよい、又は、ＡＩ情報及びＥＡＩ情報は異なるＡＩＣＨで送信されてよい。
【０１２９】
ＡＩ情報及びＥＡＩ情報は、２つの方法において少なくとも２つのＡＩＣＨで送信される。
【０１３０】
方法１の場合、ＡＩ情報は少なくとも２つのＡＩＣＨの１つのＡＩＣＨだけで送信され得、ＥＡＩ情報は残りのＡＩＣＨだけで送信され得る。
【０１３１】
ターゲットリソースインデックスに従って、ＥＡＩ情報を搬送するＡＩＣＨのシリアル番号がＫであることが決定され、Ｋは０より大きい又は０に等しい整数である。従って、この実施形態において、リソースはまた、前述の表１のリソース表示形式で示され得る。
【０１３２】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、第２の決定ユニット３３は、補助表示情報がＫであると決定してよく、Ｋは０より大きい又は０に等しい整数であり、Ｘはランダム・アクセス・プリアンブルに対応するデフォルトリソースのリソースインデックスである。
【０１３３】
具体的には、ターゲットリソースのリソースインデックスの範囲が、（Ｘ＋１）ｍｏｄ  Ｍから（Ｘ＋３１）ｍｏｄ  Ｍまでの場合、第２の決定ユニット３３は、ＥＡＩ情報を搬送するＡＩＣＨのシリアル番号Ｋが０に等しいと決定してよく、又はターゲットリソースのリソースインデックスの範囲が、（Ｘ＋３２）ｍｏｄ  Ｍから（Ｘ＋６２）ｍｏｄ  Ｍまでの場合、第２の決定ユニット３３は、ＥＡＩ情報を搬送するＡＩＣＨのシリアル番号Ｋが１に等しいと決定してよく、又はターゲットリソースのリソースインデックスの範囲が、（Ｘ＋６３）ｍｏｄ  Ｍから（Ｘ＋９３）ｍｏｄ  Ｍまでの場合、第２の決定ユニット３３は、ＥＡＩ情報を搬送するＡＩＣＨのシリアル番号Ｋが２に等しいと決定してよい。
【０１３４】
同様に、第２の決定ユニット３３は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０１３５】
方法２の場合、ＡＩ情報及びＥＡＩ情報は、少なくとも２つのＡＩＣＨの各ＡＩＣＨで送信され得るが、１つの時間間隔においては１つのＡＩＣＨだけで送信される。
【０１３６】
具体的には、少なくとも２つのＡＩＣＨにそれぞれ対応するデフォルトリソースのリソースインデックスが、Ｘ、Ｙ、Ｚなどであると仮定するならば、この場合において、ＡＩＣＨで送信されるＥＡＩ情報によって示されるリソースインデックスの範囲はそれぞれ、（Ｘ＋１）ｍｏｄ  Ｍから（Ｘ＋３１）ｍｏｄ  Ｍまで、（Ｙ＋１）ｍｏｄ  Ｍから（Ｙ＋３１）ｍｏｄ  Ｍまで、（Ｚ＋１）ｍｏｄ  Ｍから（Ｚ＋３１）ｍｏｄ  Ｍまで、などであり得る。
【０１３７】
同様に、第２の決定ユニット３３は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０１３８】
例えば、ＰＲＡＣＨが２つのＡＩＣＨに対応する場合、この実施形態において、リソースは前述の表２のリソース表示形式で示され得る。繰り返しを回避すべく、詳細は改めてここで説明されない。
【０１３９】
ＸはＡＩＣＨにおけるデフォルトリソースのリソースインデックスである。Ｙは別のＡＩＣＨにおけるデフォルトリソースのリソースインデックスである。
【０１４０】
リソースはまた、ＡＩＣＨの数量が３つ、４つなどの場合、表２のリソース表示形式で示されてよいことが理解されるべきである。例えば、第３のＡＩＣＨにおけるデフォルトリソースのリソースインデックスがＺである場合、第３のＡＩＣＨのＥＡＩ情報によって示されるリソースインデックスの範囲は（Ｚ＋１）ｍｏｄ  Ｍから（Ｚ＋３１）ｍｏｄ  Ｍまでであり、その他はこれから推定され得る。
【０１４１】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０１４２】
図４は、本発明の実施形態によるリソース表示方法の概略フローチャートである。方法４００はユーザ機器によって実行されてよく、図２に含まれるユーザ機器２０は方法４００に適用可能であってよい。方法４００は以下の段階を含む。
【０１４３】
４０１．物理ランダム・アクセス・チャネル（ＰＲＡＣＨ）でランダム・アクセス・プリアンブルを基地局に送信する。ＰＲＡＣＨは少なくとも１つのアクイジション・インジケータ・チャネル（ＡＩＣＨ）に対応する。
【０１４４】
４０２．補助表示情報を検出し、基地局により送信されるフィードバック情報を少なくとも１つのＡＩＣＨで検出する。フィードバック情報は、アクイジション・インジケータ（ＡＩ）情報と拡張アクイジション・インジケータ（ＥＡＩ）情報とを含む。
【０１４５】
４０３．フィードバック情報と補助表示情報とに従い、Ｍ個のアップリンク送信リソースにおいて、基地局により割り当てられるターゲットリソースのリソースインデックスを決定する。Ｍは３２より大きい整数である。
【０１４６】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０１４７】
ＵＥは、基地局により送信されるＡＩ情報及びＥＡＩ情報を同じＡＩＣＨで検出してよく、又はＡＩ情報及びＥＡＩ情報を異なるＡＩＣＨで別々に検出してもよいことが理解されるべきである。検出されたＡＩ情報及びＥＡＩ情報は両方とも、ターゲットリソース、すなわちアップリンク送信に用いられるリソースを示し得る。段階４０２において、ＥＡＩ情報は送信されなくてもよい。例えば、アクセスプリアンブルに対応するデフォルトリソースがターゲットリソースインデックスである場合、ＥＡＩ情報はＡＩＣＨで送信されない。この説明は、本発明の全ての実施形態に適用可能である。
【０１４８】
基地局によりＡＩＣＨで送信されるフィードバック情報は、アクイジション・インジケータ（ＡＩ）情報と拡張アクイジション・インジケータ（ＥＡＩ）情報とを含んでよく、又はＥＡＩ情報だけを含んでもよく、又はＡＩ情報だけを含んでもよい。すなわち、基地局はＡＩＣＨを通じてＥＡＩだけを送信してよく、又はＡＩだけを送信してよく、又はＡＩ及びＥＡＩの両方を送信してもよい。ＡＩ及びＥＡＩは肯定応答（ＡＣＫ）であってよく、又は否定応答（ＮＡＣＫ）であってもよい。フィードバック情報内のＡＩ及びＥＡＩの両方の値がＮＡＣＫである場合、ＵＥのこのランダム・アクセス・プロセスが拒否される。すなわち、このランダム・アクセス・プロセスにおいてＵＥは利用可能なリソースを何も取得しない。
【０１４９】
任意で、ある実施形態において、段階４０３では、ＵＥは、ＡＩ情報が肯定応答（ＡＣＫ）である場合、デフォルトリソースのリソースインデックスＸをターゲットリソースのリソースインデックスとして決定してよく、又はＡＩ情報が否定応答（ＮＡＣＫ）である場合、ＵＥは、補助表示情報に従って、ＥＡＩ情報により示されるリソースインデックスの範囲を決定し、ＥＡＩ情報の値に対応するリソースインデックスをターゲットリソースのリソースインデックスとして決定してもよい。
【０１５０】
ＡＩ情報はデフォルトリソースが利用可能かどうかを示してよく、ＥＡＩ情報は別のリソースが利用可能かどうかを示してよいことが理解されるべきである。異なる値のＥＡＩ情報は、異なるリソースのリソースインデックスに対応する。例えば、ＡＩ情報がＡＣＫである場合、ＵＥはランダム・アクセス・プリアンブルに対応するデフォルトリソースを用いてよい。例えば、デフォルトリソースのリソースインデックスがＸである場合、この場合には、ＵＥは、リソースインデックスがＸであるリソースを用いてアップリンクデータ送信を実行してよい。
【０１５１】
任意で、別の実施形態において、方法４００は更に以下の段階を含む。
【０１５２】
４０４．ランダム・アクセス・パラメータを受信する。ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０１５３】
ランダム・アクセス・パラメータは、ＰＲＡＣＨとランダムアクセスに用いられる関連パラメータとに関する情報を含んでよく、関連パラメータは、ＰＲＡＣＨに対応する少なくとも１つのＡＩＣＨのシリアル番号、又はＵＥがランダム・アクセス・プリアンブルを送信する時間間隔などである。ランダム・アクセス・パラメータを取得した後、ＵＥは、ランダム・アクセス・パラメータに従って、ランダムアクセス署名及びアクセスタイムスロットを選択し、ランダム・アクセス・プリアンブルを基地局に送信してよい。ＵＥにより送信されるランダム・アクセス・プリアンブルを受信した後、基地局はフィードバック情報をＡＩＣＨでＵＥに送信してよい。フィードバック情報は、ＵＥがリソースを何も用いることができないことを示す、又は、ＵＥにより用いられ得るリソースのシリアル番号を示す。ＵＥは、基地局により送信されるフィードバック情報をＡＩＣＨで検出してよい。
【０１５４】
任意で、ＡＩＣＨのシリアル番号は、ＡＩＣＨのチャネル化コードであってよい。ＰＲＡＣＨが１つのＡＩＣＨに対応する場合、ランダム・アクセス・パラメータはＰＲＡＣＨに対応するＡＩＣＨのシリアル番号を含んでよく、又はＰＲＡＣＨが少なくとも２つのＡＩＣＨに対応する場合、ランダム・アクセス・パラメータは、ＰＲＡＣＨに対応する少なくとも２つのＡＩＣＨのシリアル番号を含んでよい。
【０１５５】
検出表示情報は、補助表示情報を検出するようＵＥに命令するのに用いられてよい。
【０１５６】
任意で、ある実施形態において、ＰＲＡＣＨがＡＩＣＨに対応し、且つランダム・アクセス・パラメータがＡＩＣＨのシリアル番号と検出表示情報とを含む場合、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【０１５７】
基地局はＡＩ情報及びＥＡＩ情報をＡＩＣＨで送信し、補助表示情報を同じＡＩＣＨで更に送信する。すなわち、この場合には、１つのＰＲＡＣＨが１つのＡＩＣＨだけに対応する。任意で、ＡＩＣＨの各タイムスロットの最後の１０２４チップには合計８ビットの予備情報がある。予備情報は、補助表示情報を搬送するのに用いられてよい。
【０１５８】
任意で、現行のＡＩＣＨの各タイムスロットの最後の１０２４チップの予備情報の一部は、補助表示情報を送信するのに用いられてよい。更に、補助表示情報がＡＩＣＨの各タイムスロットの最後の１０２４チップで送信される場合、補助表示情報を搬送するチャネルと、ＡＩが検出されるＡＩＣＨチャネルとは、異なるチャネル化コードを用いてよい。すなわち、ＡＩ及び補助表示情報が時分割方式及び符号分割方式で送信される。
【０１５９】
具体的には、この実施形態において、リソースは前述の表１のリソース表示形式で示され得る。繰り返しを回避すべく、詳細は改めてここで説明されない。
【０１６０】
補助表示情報の値がＫである場合、ＵＥは、ＥＡＩ情報によって示されるリソースインデックスの範囲がＡからＢまでと決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、ＭはＵＥに割り当てられ得るアップリンク送信リソースの合計数であり、Ｘはランダム・アクセス・プリアンブルに対応するデフォルトリソースのリソースインデックスである。
【０１６１】
具体的には、Ｘは、ＵＥにより選択されるアクセス署名に対応するデフォルトリソースのリソースインデックスであってよい。Ｋが０である場合、又は何も送信されない場合、ＥＡＩ情報によって示されるリソースインデックスの範囲は、（Ｘ＋１）ｍｏｄ  Ｍから（Ｘ＋３１）ｍｏｄ  Ｍまでであってよく、あるいはＫが１である場合、ＥＡＩ情報によって示されるリソースインデックスの範囲は、（Ｘ＋３２）ｍｏｄ  Ｍから（Ｘ＋６２）ｍｏｄ  Ｍまでであってよい。
【０１６２】
同様に、ＵＥは、ＡＩ情報がＡＣＫである場合、デフォルトリソースのリソースインデックスＸをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【０１６３】
任意で、別の実施形態において、ＰＲＡＣＨがＡＩＣＨに対応し、且つランダム・アクセス・パラメータがＡＩＣＨのシリアル番号及び少なくとも１つの時間間隔を含む場合、ＡＩ情報及びＥＡＩ情報はＡＩＣＨで送信され、補助表示情報はＥＡＩ情報が検出される時間間隔のシリアル番号である。ＡＩＣＨのシリアル番号は、ＡＩＣＨチャネルのチャネル化コードであってよい。
【０１６４】
ランダム・アクセス・プリアンブルを基地局に送信した後、ＵＥは、ランダム・アクセス・パラメータに提供される少なくとも１つの時間間隔において、ＡＩＣＨでフィードバック情報を別々に検出することが理解されるべきである。例えば、ランダム・アクセス・パラメータは、７６８０チップ、１２８００チップ、及び２０４８０チップなど、複数の時間間隔を含んでよい。これは、ランダム・アクセス・プリアンブルを送信した後、ランダム・アクセス・プロセスが終了するまで、ＵＥは７６８０チップ、１２８００チップ、及び２０４８０チップでフィードバック情報を別々に検出することを示す。補助表示情報は、ＥＡＩ情報が検出される時間間隔のシリアル番号である。シリアル番号は、ＥＡＩ情報がＮ番目の時間間隔で検出されることを示してよい。例えば、ＵＥが７６８０チップでＥＡＩを検出した場合、対応する時間間隔のシリアル番号は０であり、ＵＥは次の時間間隔で検出を実行しない。Ｎは０より大きい又は０に等しい整数である。ネットワーク側により構成される時間間隔の順序に従って、ＵＥは時間間隔に０から開始する番号を付け得ることが好ましい。
【０１６５】
この実施形態において、リソースはまた、前述の表１のリソース表示形式で示され得る。
【０１６６】
補助表示情報の値がＫである場合、ＵＥは、ＥＡＩ情報によって示されるリソースインデックスの範囲がＡからＢまでと決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、ＭはＵＥに割り当てられ得るアップリンク送信リソースの合計数であり、Ｘはランダム・アクセス・プリアンブルに対応するデフォルトリソースのリソースインデックスである。
【０１６７】
具体的には、Ｋが０に等しい場合（例えば、上記においてＥＡＩ情報が７６８０チップの時間間隔で検出される場合）、ＥＡＩ情報によって示されるリソースインデックスの範囲は、（Ｘ＋１）ｍｏｄ  Ｍから（Ｘ＋３１）ｍｏｄ  Ｍまでであってよく、あるいはＫが１に等しい場合（例えば、上記においてＥＡＩ情報が１２８００チップの時間間隔で検出される場合）、ＥＡＩ情報によって示されるリソースインデックスの範囲は、（Ｘ＋３２）ｍｏｄ  Ｍから（Ｘ＋６２）ｍｏｄ  Ｍまでであってよく、あるいはＫが２に等しい場合（例えば、上記においてＥＡＩ情報が２０４８０チップの時間間隔で検出される場合）、ＥＡＩ情報によって示されるリソースインデックスの範囲は、（Ｘ＋６３）ｍｏｄ  Ｍから（Ｘ＋９３）ｍｏｄ  Ｍまでであってよい。
【０１６８】
同様に、ＵＥは、ＡＩ情報がＡＣＫである場合、デフォルトリソースのリソースインデックスをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【０１６９】
任意で、別の実施形態において、ＰＲＡＣＨは少なくとも２つのＡＩＣＨに対応する場合、ランダム・アクセス・パラメータは、ＰＲＡＣＨに対応する少なくとも２つのＡＩＣＨのシリアル番号を含んでよい。ＡＩ情報及びＥＡＩ情報は少なくとも２つのＡＩＣＨで送信され、ＥＡＩが検出される場合、補助表示情報は、ＥＡＩ情報を搬送するＡＩＣＨのシリアル番号である。ランダム・アクセス・パラメータ内のシリアル番号は、ネットワーク側により直接送信される。代替的に、シリアル番号は、ネットワーク側により送信されるＡＩＣＨ構成情報の順序に従って、ＡＩＣＨに０から開始する番号を付けることでＵＥにより間接的に取得されてよく、又はシグナリングを用いることでネットワーク側によって明示的に構成されてもよい。
【０１７０】
１つのＰＲＡＣＨが複数のＡＩＣＨに対応する場合、デフォルトリソースが利用できないならば、フィードバック情報はＥＡＩ情報だけを含んでよく、ＡＩ情報を含まなくてもよいことが好ましい。すなわち、ＡＩ情報はどのＡＩＣＨでも送信されない。
【０１７１】
ＡＩ情報及びＥＡＩ情報は、以下の方法において少なくとも１つのＡＩＣＨで送信されてよいことが理解されるべきである。つまり、ＡＩ情報及びＥＡＩ情報は１つのＡＩＣＨで送信されてよい、又は、ＡＩ情報及びＥＡＩ情報は異なるＡＩＣＨで送信されてよい。
【０１７２】
ＡＩ情報及びＥＡＩ情報は、２つの方法において少なくとも２つのＡＩＣＨで送信される。
【０１７３】
方法１の場合、ＡＩ情報は少なくとも２つのＡＩＣＨの１つのＡＩＣＨだけで送信され得、ＥＡＩ情報は残りのＡＩＣＨだけで送信され得る。
【０１７４】
ＥＡＩ情報を搬送するＡＩＣＨのシリアル番号がＫであり、Ｋが０より大きい又は０に等しい整数である場合、この実施形態では、リソースはまた、前述の表１のリソース表示形式で示されてよい。
【０１７５】
補助表示情報の値がＫである場合、ＵＥは、ＥＡＩ情報によって示されるリソースインデックスの範囲がＡからＢまでであると決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、ＭはＵＥに割り当てられ得るアップリンク送信リソースの合計数であり、Ｘはランダム・アクセス・プリアンブルに対応するデフォルトリソースのリソースインデックスである。
【０１７６】
具体的には、ＥＡＩ情報を搬送するＡＩＣＨのシリアル番号Ｋが０に等しい場合、ＥＡＩ情報によって示されるリソースインデックスの範囲は、（Ｘ＋１）ｍｏｄ  Ｍから（Ｘ＋３１）ｍｏｄ  Ｍまでであってよく、あるいはＥＡＩ情報を搬送するＡＩＣＨのシリアル番号Ｋが１に等しい場合、ＥＡＩ情報によって示されるリソースインデックスの範囲は、（Ｘ＋３２）ｍｏｄ  Ｍから（Ｘ＋６２）ｍｏｄ  Ｍまでであってよく、あるいはＥＡＩ情報を搬送するＡＩＣＨのシリアル番号Ｋが２に等しい場合、ＥＡＩ情報によって示されるリソースインデックスの範囲は、（Ｘ＋６３）ｍｏｄ  Ｍから（Ｘ＋９３）ｍｏｄ  Ｍまでであってよい。
【０１７７】
同様に、ＵＥは、ＡＩ情報がＡＣＫである場合、デフォルトリソースのリソースインデックスをターゲットリソースのリソースインデックスとして決定してよく、又はＡＩ情報が否定応答（ＮＡＣＫ）である場合、ＥＡＩ情報の値に対応するリソースインデックスをターゲットリソースのリソースインデックスとして決定してよい。ＡＩ情報がＮＡＣＫであり且つＥＡＩ情報がＮＡＣＫである場合、ＵＥはこのランダム・アクセス・プロセスでリソースを何も取得しない。
【０１７８】
方法２の場合、ＡＩ情報及びＥＡＩ情報は、少なくとも２つのＡＩＣＨの各ＡＩＣＨで送信され得るが、１つの時間間隔においては１つのＡＩＣＨだけで送信される。
【０１７９】
具体的には、少なくとも２つのＡＩＣＨにそれぞれ対応するデフォルトリソースのリソースインデックスが、Ｘ、Ｙ、Ｚなどであると仮定するならば、この場合において、ＡＩＣＨで送信されるＥＡＩ情報によって示されるリソースインデックスの範囲はそれぞれ、（Ｘ＋１）ｍｏｄ  Ｍから（Ｘ＋３１）ｍｏｄ  Ｍまで、（Ｙ＋１）ｍｏｄ  Ｍから（Ｙ＋３１）ｍｏｄ  Ｍまで、（Ｚ＋１）ｍｏｄ  Ｍから（Ｚ＋３１）ｍｏｄ  Ｍまで、などであり得る。
【０１８０】
同様に、ＵＥは、ＡＩ情報がＡＣＫである場合、デフォルトリソースのリソースインデックスをターゲットリソースのリソースインデックスとして決定してよく、又はＡＩ情報がＮＡＣＫである場合、ＥＡＩ情報によって示されるリソースインデックスの範囲を決定し、ＥＡＩ情報の値に対応するリソースインデックスをターゲットリソースのリソースインデックスとして決定してよい。
【０１８１】
例えば、ＰＲＡＣＨが２つのＡＩＣＨに対応する場合、この実施形態において、リソースは前述の表２のリソース表示形式で示され得る。繰り返しを回避すべく、詳細は改めてここで説明されない。
【０１８２】
ＸはＡＩＣＨにおけるデフォルトリソースのリソースインデックスである。Ｙは別のＡＩＣＨにおけるデフォルトリソースのリソースインデックスである。
【０１８３】
リソースはまた、ＡＩＣＨの数量が３つ、４つなどの場合、表２のリソース表示形式で示されてよいことが理解されるべきである。例えば、第３のＡＩＣＨにおけるデフォルトリソースのリソースインデックスがＺである場合、第３のＡＩＣＨのＥＡＩ情報によって示されるリソースインデックスの範囲は（Ｚ＋１）ｍｏｄ  Ｍから（Ｚ＋３１）ｍｏｄ  Ｍまでであり、その他はこれから推定され得る。
【０１８４】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０１８５】
図５は、本発明の別の実施形態によるリソース表示方法の概略フローチャートである。方法５００は基地局によって実行されてよく、図３に含まれる基地局３０は方法５００に適用可能であってよい。方法５００は以下の段階を含む。
【０１８６】
５０１．ユーザ機器（ＵＥ）により送信されるランダム・アクセス・プリアンブルを物理ランダム・アクセス・チャネル（ＰＲＡＣＨ）で受信する。ＰＲＡＣＨは少なくとも１つのアクイジション・インジケータ・チャネル（ＡＩＣＨ）に対応する。
【０１８７】
５０２．Ｍ個のアップリンク送信リソースにおいて、ＵＥに割り当てられるターゲットリソースのリソースインデックスを決定する。Ｍは３２より大きい整数である。
【０１８８】
５０３．ターゲットリソースのリソースインデックスに従って、フィードバック情報と補助表示情報とを決定する。フィードバック情報は、アクイジション・インジケータ（ＡＩ）情報と拡張アクイジション・インジケータ（ＥＡＩ）情報とを含む。
【０１８９】
５０４．少なくとも１つのＡＩＣＨでフィードバック情報を送信する。
【０１９０】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０１９１】
ＵＥは、基地局により送信されるＡＩ情報及びＥＡＩ情報を同じＡＩＣＨで検出してよく、又はＡＩ情報及びＥＡＩ情報を異なるＡＩＣＨで別々に検出してもよいことが理解されるべきである。検出されたＡＩ情報及びＥＡＩ情報は両方とも、ターゲットリソース、すなわちアップリンク送信に用いられるリソースを示し得る。
【０１９２】
基地局によりＡＩＣＨで送信されるフィードバック情報は、アクイジション・インジケータ（ＡＩ）情報と拡張アクイジション・インジケータ（ＥＡＩ）情報とを含んでよく、又はＥＡＩ情報だけを含んでもよく、又はＡＩ情報だけを含んでもよい。すなわち、基地局はＡＩＣＨを通じてＥＡＩだけを送信してよく、又はＡＩ及びＥＡＩの両方を送信してもよい。ＡＩ及びＥＡＩは肯定応答（ＡＣＫ）であってよく、又は否定応答（ＮＡＣＫ）であってもよい。フィードバック情報内のＡＩ及びＥＡＩの両方の値がＮＡＣＫである場合、ＵＥのランダム・アクセス・プロセスが拒否される。すなわち、このランダム・アクセス・プロセスにおいてＵＥは利用可能なリソースを何も取得しない。
【０１９３】
任意で、ある実施形態において、段階５０３では、ターゲットリソースのリソースインデックスがデフォルトリソースのリソースインデックスＸである場合、基地局はＡＩ情報が肯定応答（ＡＣＫ）であると決定してよく、又はターゲットリソースのリソースインデックスが非デフォルトリソースのリソースインデックスである場合、すなわち、ターゲットリソースのリソースインデックスがＸでない場合、ターゲットリソースのリソースインデックスに従って、基地局は、補助表示情報及びＥＡＩ情報を決定してよく、ＡＩ情報がＮＡＣＫであると決定してよい。
【０１９４】
ＡＩ情報はデフォルトリソースが利用可能かどうかを示してよく、ＥＡＩ情報は別のリソースが利用可能かどうかを示してよいことが理解されるべきである。異なる値のＥＡＩ情報は、異なるリソースのリソースインデックスに対応する。例えば、ＵＥがランダム・アクセス・プリアンブルに対応するデフォルトリソースを用いる場合、基地局は、ＡＩ情報はＡＣＫであると決定してよい。例えば、デフォルトリソースのリソースインデックスがＸであり、リソースインデックスがＸである対応するデフォルトリソースを用いることでＵＥがアップリンクデータ送信を実行する場合、基地局は、ＡＩ情報がＡＣＫであると決定してよい。
【０１９５】
任意で、別の実施形態において、方法５００は更に以下の段階を含む。
【０１９６】
５０５．ネットワーク側からＵＥにより取得されるランダム・アクセス・パラメータを決定する。ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０１９７】
段階５０５は、段階５０１の前に実行されてもよい。ＲＮＣがランダム・アクセス・パラメータをＮｏｄｅＢに送信することが好ましい。ランダム・アクセス・パラメータは、ＰＲＡＣＨとランダムアクセスに用いられる関連パラメータとに関する情報を含んでよく、関連パラメータは、ＰＲＡＣＨに対応する少なくとも１つのＡＩＣＨのシリアル番号、又はＵＥがランダム・アクセス・プリアンブルを送信する時間間隔などである。ランダム・アクセス・パラメータを取得した後、基地局は、ＵＥにより送信されるランダム・アクセス・プリアンブルをランダム・アクセス・パラメータに従って検出してよい。ＵＥにより送信されるランダム・アクセス・プリアンブルを受信した後、基地局はフィードバック情報をＡＩＣＨでＵＥに送信してよい。フィードバック情報は、ＵＥがリソースを何も用いることができないことを示す、又は、ＵＥにより用いられ得るリソースのシリアル番号を示す。ＵＥは、基地局により送信されるフィードバック情報をＡＩＣＨで検出してよい。
【０１９８】
任意で、ＡＩＣＨのシリアル番号は、ＡＩＣＨのチャネル化コードであってよい。ＰＲＡＣＨが１つのＡＩＣＨに対応する場合、ランダム・アクセス・パラメータはＰＲＡＣＨに対応するＡＩＣＨのシリアル番号を含んでよく、又はＰＲＡＣＨが少なくとも２つのＡＩＣＨに対応する場合、ランダム・アクセス・パラメータは、ＰＲＡＣＨに対応する少なくとも２つのＡＩＣＨのシリアル番号を含んでよい。
【０１９９】
検出表示情報は、基地局が補助表示情報を送信し得ることを示すのに用いられてよい。
【０２００】
任意で、ある実施形態において、ＰＲＡＣＨがＡＩＣＨに対応し、且つランダム・アクセス・パラメータがＡＩＣＨのシリアル番号と検出表示情報とを含む場合、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【０２０１】
基地局はＡＩ情報及びＥＡＩ情報をＡＩＣＨで送信し、補助表示情報を同じＡＩＣＨで更に送信する。すなわち、この場合には、１つのＰＲＡＣＨが１つのＡＩＣＨだけに対応する。任意で、ＡＩＣＨの各タイムスロットの最後の１０２４チップには合計８ビットの予備情報がある。予備情報は、補助表示情報を搬送するのに用いられてよい。
【０２０２】
任意で、現行のＡＩＣＨの各タイムスロットの最後の１０２４チップの予備情報の一部は、補助表示情報を送信するのに用いられてよい。更に、補助表示情報がＡＩＣＨの各タイムスロットの最後の１０２４チップで送信される場合、補助表示情報を搬送するチャネルと、ＡＩが送信されるＡＩＣＨチャネルとは、異なるチャネル化コードを用いてよい。すなわち、ＡＩ及び補助表示情報が時分割方式及び符号分割方式で送信される。
【０２０３】
具体的には、この実施形態において、リソースは前述の表１のリソース表示形式で示され得る。繰り返しを回避すべく、詳細は改めてここで説明されない。
【０２０４】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、基地局は、補助表示情報がＫであると決定してよく、Ｋは０より大きい又は０に等しい整数であり、Ｘはランダム・アクセス・プリアンブルに対応するデフォルトリソースのリソースインデックスである。
【０２０５】
具体的には、Ｘは、ＵＥにより選択されるアクセス署名に対応するデフォルトリソースのリソースインデックスであってよい。ターゲットリソースのリソースインデックスの範囲が、（Ｘ＋１）ｍｏｄ  Ｍから（Ｘ＋３１）ｍｏｄ  Ｍまでの場合、基地局は、Ｋが０である、又は何も送信されないと決定してよく、又はターゲットリソースのリソースインデックスの範囲が、（Ｘ＋３２）ｍｏｄ  Ｍから（Ｘ＋６２）ｍｏｄ  Ｍまでの場合、基地局は、Ｋが１あると決定してよい。
【０２０６】
例として０に等しいＸを用いると、ターゲットリソースインデックスが３４である場合、基地局は、デフォルトリソースが利用できないこと、及びＡＩがＮＡＣＫであることを決定し、補助表示情報Ｋが１であること、及びＥＡＩ情報によって示されるリソースインデックスが３４であることを決定する。ＥＡＩにより示されるリソースインデックス値３４は、ＥＡＩを用いてＵＥに直接送信される代わりに、計算で取得される。
【０２０７】
基地局は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０２０８】
任意で、別の実施形態において、ＰＲＡＣＨがＡＩＣＨに対応し、且つランダム・アクセス・パラメータがＡＩＣＨのシリアル番号及び少なくとも１つの時間間隔を含む場合、ＡＩ情報及びＥＡＩ情報はＡＩＣＨで送信され、補助表示情報はＥＡＩ情報が送信される時間間隔のシリアル番号である。ＡＩＣＨのシリアル番号は、ＡＩＣＨチャネルのチャネル化コードであってよい。
【０２０９】
ランダム・アクセス・プリアンブルを基地局に送信した後、ＵＥは、ランダム・アクセス・パラメータに提供される少なくとも１つの時間間隔において、ＡＩＣＨでフィードバック情報を別々に検出することが理解されるべきである。例えば、ランダム・アクセス・パラメータは、７６８０チップ、１２８００チップ、及び２０４８０チップなど、複数の時間間隔を含んでよい。これは、ランダム・アクセス・プリアンブルを送信した後、ランダム・アクセス・プロセスが終了するまで、ＵＥは７６８０チップ、１２８００チップ、及び２０４８０チップでフィードバック情報を別々に検出することを示す。それに応じて、ＵＥにより送信されるアクセスプリアンブルを検出した後、基地局は前述の時間間隔のいずれか１つでフィードバック情報を送信してよい。ターゲットリソースのリソースインデックスに従って、基地局はＫ番目の時間間隔においてフィードバック情報を送信すると決定し、フィードバック情報の値を決定する。例として０に等しいＸを用いると、ターゲットリソースインデックスが３である場合、基地局は、プリアンブルを検出した後、７６８０チップの間隔においてＥＡＩを送信し、この場合、補助表示情報Ｋは０である。ネットワーク側により構成される時間間隔の順序に従って、基地局は時間間隔に０から開始する番号を付け得ることが好ましい。
【０２１０】
この実施形態において、リソースはまた、前述の表１のリソース表示形式で示され得る。繰り返しを回避すべく、詳細は改めてここで説明されない。
【０２１１】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、基地局は、補助表示情報がＫであると決定してよく、Ｋは０より大きい又は０に等しい整数であり、Ｘはランダム・アクセス・プリアンブルに対応するデフォルトリソースのリソースインデックスである。
【０２１２】
具体的には、ターゲットリソースのリソースインデックスがＹであるならば、ターゲットリソースのリソースインデックスの範囲が（Ｘ＋１）ｍｏｄ  Ｍから（Ｘ＋３１）ｍｏｄ  Ｍまでの場合、基地局は、Ｋが０に等しい（例えば、上記においてＥＡＩ情報が７６８０チップの時間間隔で検出される）と決定してよく、又はターゲットリソースのリソースインデックスの範囲が、（Ｘ＋３２）ｍｏｄ  Ｍから（Ｘ＋６２）ｍｏｄ  Ｍまでの場合、基地局は、Ｋが１に等しい（例えば、上記においてＥＡＩ情報が１２８００チップの時間間隔で検出される）と決定してよく、又はターゲットリソースのリソースインデックスの範囲が、（Ｘ＋６３）ｍｏｄ  Ｍから（Ｘ＋９３）ｍｏｄ  Ｍまでの場合、基地局は、Ｋが２に等しい（例えば、上記においてＥＡＩ情報が２０４８０チップの時間間隔で検出される）と決定してよい。
【０２１３】
例として１であるデフォルトのリソースインデックスを用いると、ターゲットリソースインデックスの値が３である場合、基地局は、アクセスプリアンブルを検出した後に、７６８０チップの間隔においてフィードバック情報を送信してよく、又はターゲットリソースインデックスの値が４３である場合、基地局は、アクセスプリアンブルを検出した後に、１２８００チップの間隔においてフィードバック情報を送信してよく、又はターゲットリソースインデックスの値が８３である場合、基地局は、アクセスプリアンブルを検出した後に、２０４８０チップの間隔においてフィードバック情報を送信してよい。
【０２１４】
同様に、基地局は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０２１５】
任意で、別の実施形態において、ＰＲＡＣＨは少なくとも２つのＡＩＣＨに対応する場合、ランダム・アクセス・パラメータは、ＰＲＡＣＨに対応する少なくとも２つのＡＩＣＨのシリアル番号を含んでよい。ＡＩ情報及びＥＡＩ情報は少なくとも２つのＡＩＣＨで送信され、ＥＡＩが検出される場合、補助表示情報は、ＥＡＩ情報を搬送するＡＩＣＨのシリアル番号である。ランダム・アクセス・パラメータ内のシリアル番号は、ネットワーク側により直接送信される。代替的に、シリアル番号は、ネットワーク側により送信されるＡＩＣＨ構成情報の順序に従って、ＡＩＣＨに０から開始する番号を付けることでＵＥにより間接的に取得されてよく、又はシグナリングを用いることでネットワーク側によって明示的に構成されてもよい。
【０２１６】
１つのＰＲＡＣＨが複数のＡＩＣＨに対応する場合、デフォルトリソースが利用できないならば、フィードバック情報はＥＡＩ情報だけを含んでよく、ＡＩ情報を含まなくてもよいことが好ましい。すなわち、ＡＩ情報はどのＡＩＣＨでも送信されない。
【０２１７】
ＡＩ情報及びＥＡＩ情報は、以下の方法において少なくとも１つのＡＩＣＨで送信されてよいことが理解されるべきである。つまり、ＡＩ情報及びＥＡＩ情報は１つのＡＩＣＨで送信されてよい、又は、ＡＩ情報及びＥＡＩ情報は異なるＡＩＣＨで送信されてよい。
【０２１８】
ＡＩ情報及びＥＡＩ情報は、２つの方法において少なくとも２つのＡＩＣＨで送信される。
【０２１９】
方法１の場合、ＡＩ情報は少なくとも２つのＡＩＣＨの１つのＡＩＣＨだけで送信され得、ＥＡＩ情報は残りのＡＩＣＨだけで送信され得る。
【０２２０】
ターゲットリソースのリソースインデックスに従って、ＥＡＩ情報を搬送するＡＩＣＨのシリアル番号がＫであることが決定され、Ｋは０より大きい又は０に等しい整数である。従って、この実施形態において、リソースはまた、前述の表１のリソース表示形式で示され得る。
【０２２１】
ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、基地局は、補助表示情報がＫであると決定してよく、Ｋは０より大きい又は０に等しい整数であり、Ｘはランダム・アクセス・プリアンブルに対応するデフォルトリソースのリソースインデックスである。
【０２２２】
具体的には、ターゲットリソースのリソースインデックスの範囲が、（Ｘ＋１）ｍｏｄ  Ｍから（Ｘ＋３１）ｍｏｄ  Ｍまでの場合、基地局は、ＥＡＩ情報を搬送するＡＩＣＨのシリアル番号Ｋが０に等しいと決定してよく、又はターゲットリソースのリソースインデックスの範囲が、（Ｘ＋３２）ｍｏｄ  Ｍから（Ｘ＋６２）ｍｏｄ  Ｍまでの場合、基地局は、ＥＡＩ情報を搬送するＡＩＣＨのシリアル番号Ｋが１に等しいと決定してよく、又はターゲットリソースのリソースインデックスの範囲が、（Ｘ＋６３）ｍｏｄ  Ｍから（Ｘ＋９３）ｍｏｄ  Ｍまでの場合、基地局は、ＥＡＩ情報を搬送するＡＩＣＨのシリアル番号Ｋが２に等しいと決定してよい。
【０２２３】
同様に、基地局は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０２２４】
方法２の場合、ＡＩ情報及びＥＡＩ情報は、少なくとも２つのＡＩＣＨの各ＡＩＣＨで送信され得るが、１つの時間間隔においては１つのＡＩＣＨだけで送信される。
【０２２５】
具体的には、少なくとも２つのＡＩＣＨにそれぞれ対応するデフォルトリソースのリソースインデックスが、Ｘ、Ｙ、Ｚなどであると仮定するならば、この場合において、ＡＩＣＨで送信されるＥＡＩ情報によって示されるリソースインデックスの範囲はそれぞれ、（Ｘ＋１）ｍｏｄ  Ｍから（Ｘ＋３１）ｍｏｄ  Ｍまで、（Ｙ＋１）ｍｏｄ  Ｍから（Ｙ＋３１）ｍｏｄ  Ｍまで、（Ｚ＋１）ｍｏｄ  Ｍから（Ｚ＋３１）ｍｏｄ  Ｍまで、などであり得る。
【０２２６】
同様に、基地局は、ターゲットリソースのリソースインデックスがデフォルトリソースのリソースインデックスである場合、ＡＩ情報が肯定応答（ＡＣＫ）であると決定してよく、又は、ターゲットリソースのリソースインデックスが非デフォルトリソースのリソースインデックスである場合、ＡＩ情報が否定応答（ＮＡＣＫ）であると決定してよい。ＵＥが利用可能なリソースを何も取得しない場合、ＡＩ情報及びＥＡＩ情報はＮＡＣＫである。
【０２２７】
例えば、ＰＲＡＣＨが２つのＡＩＣＨに対応する場合、この実施形態において、リソースは前述の表２のリソース表示形式で示され得る。繰り返しを回避すべく、詳細は改めてここで説明されない。
【０２２８】
ＸはＡＩＣＨにおけるデフォルトリソースのリソースインデックスである。Ｙは別のＡＩＣＨにおけるデフォルトリソースのリソースインデックスである。
【０２２９】
リソースはまた、ＡＩＣＨの数量が３つ、４つなどの場合、表２のリソース表示形式で示されてよいことが理解されるべきである。例えば、第３のＡＩＣＨにおけるデフォルトリソースのリソースインデックスがＺである場合、第３のＡＩＣＨのＥＡＩ情報によって示されるリソースインデックスの範囲は（Ｚ＋１）ｍｏｄ  Ｍから（Ｚ＋３１）ｍｏｄ  Ｍまでであり、その他はこれにより推定され得る。
【０２３０】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０２３１】
図６は本発明の実施形態によるリソース表示プロセスの概略フローチャートである。図６に示されるように、本プロセスは以下の段階を含む。
【０２３２】
６０１．ＵＥはランダム・アクセス・パラメータを取得する。
【０２３３】
具体的には、ＵＥは、ネットワーク側からランダム・アクセス・パラメータを取得してよい。ランダム・アクセス・パラメータは、ＰＲＡＣＨに対応するＮ個のＡＩＣＨに関する情報を含んでよく、Ｎは１より大きい整数である。
【０２３４】
具体的には、ランダム・アクセス・パラメータは、ＰＲＡＣＨに関する情報とランダムアクセスに用いられる関連パラメータとを含んでよい。ランダム・アクセス・パラメータにおけるＰＲＡＣＨは、Ｎ個のＡＩＣＨのシリアル番号に対応する。
【０２３５】
６０２．ランダム・アクセス・プリアンブルを基地局にＰＲＡＣＨで送信する。
【０２３６】
具体的には、ＵＥは、基地局により送信されるランダム・アクセス・パラメータに従って、ランダム・アクセス・プリアンブルを基地局にＰＲＡＣＨで送信する。
【０２３７】
６０３．基地局は、フィードバック情報をＵＥに送信すべく、Ｎ個のＡＩＣＨの中の適切なＡＩＣＨを選択する。
【０２３８】
フィードバック情報は、ＡＩ情報とＥＡＩ情報とを含んでよく、又はＥＡＩ情報だけを含んでもよいことが理解されるべきである。基地局は、Ｎ個のＡＩＣＨにおける１番目のＡＩＣＨでＡＩ情報とＥＡＩ情報とを送信し得、残りの（Ｎ−１）個のＡＩＣＨでＥＡＩだけを送信し得る。それぞれの特定の送信プロセスにおいて、基地局は、最大２つのＡＩＣＨで同時にフィードバック情報を送信し得る。
【０２３９】
６０４．ＵＥは、Ｎ個のＡＩＣＨを検出し、送信されたフィードバック情報を決定する。
【０２４０】
６０５．ＡＩ情報がＡＣＫであることをＵＥが検出する場合、ＵＥはデフォルトリソースを用いる。
【０２４１】
具体的には、デフォルトリソースのリソースインデックスがＸである場合、ＵＥはＸに対応するデフォルトリソースを用いる。
【０２４２】
６０６．ＡＩ情報がＮＡＣＫであることをＵＥが検出する場合、ＵＥはフィードバック情報内のＥＡＩの実効値に対応するリソースを用いる。
【０２４３】
具体的には、１番目のＡＩＣＨに関するＥＡＩ情報が実効値である場合、ＥＡＩ情報により示されるリソースインデックスの範囲は、（Ｘ＋１）ｍｏｄ  Ｍから（Ｘ＋３１）ｍｏｄ  Ｍまでであり、ＵＥは、１番目のＡＩＣＨに関するＥＡＩ情報の値に対応するリソースインデックスにより示されるリソースを用いてよい。同様に、（Ｎ−１）個のＡＩＣＨの中のあるＡＩＣＨのＥＡＩ情報が実効値である場合、ＥＡＩ情報により示されるリソースインデックスの範囲は、（Ｘ＋３２）ｍｏｄ  Ｍから（Ｘ＋６２）ｍｏｄ  Ｍまでであってよく、ＵＥは、ＥＡＩ情報の値に対応するリソースインデックスにより示されるリソースを用いてよい。
【０２４４】
すなわち、ＥＡＩ情報を搬送するＡＩＣＨのシリアル番号がＫであり、Ｋが０より大きい又は０に等しい整数である場合、ＥＡＩ情報により示されるリソースインデックスの範囲は、（Ｘ＋３１×Ｋ＋１）ｍｏｄ  Ｍから（Ｘ＋３１×Ｋ＋３１）ｍｏｄ  Ｍまでであってよい。
【０２４５】
６０７．ＡＩ情報がＮＡＣＫであり且つＥＡＩ情報がＮＡＣＫであることをＵＥが検出する場合、ＵＥはこのランダム・アクセス・プロセスを終了する。
【０２４６】
図７は、本発明の別の実施形態によるリソース表示プロセスの概略フローチャートである。図７に示されるように、本プロセスは以下の段階を含む。
【０２４７】
７０１．ＵＥはランダム・アクセス・パラメータを取得する。
【０２４８】
具体的には、ＵＥは、ネットワーク側からランダム・アクセス・パラメータを取得してよい。ランダム・アクセス・パラメータは、ＰＲＡＣＨに対応するＮ個のＡＩＣＨのシリアル番号を含んでよく、Ｎは１より大きい整数である。
【０２４９】
具体的には、ランダム・アクセス・パラメータは、ＰＲＡＣＨに関する情報とランダムアクセスに用いられる関連パラメータとを含んでよい。ランダム・アクセス・パラメータにおけるＰＲＡＣＨは、Ｎ個のＡＩＣＨのシリアル番号に対応する。
【０２５０】
７０２．ＵＥは、ランダム・アクセス・プリアンブルを基地局にＰＲＡＣＨで送信する。
【０２５１】
７０３．基地局は、フィードバック情報をＵＥに送信すべく、Ｎ個のＡＩＣＨの中のあるＡＩＣＨを選択する。
【０２５２】
基地局は、Ｎ個のＡＩＣＨのそれぞれのＡＩＣＨで、ＡＩ情報とＥＡＩ情報とを送信してよい。
【０２５３】
７０４．ＵＥは、Ｎ個のＡＩＣＨを検出し、送信されたフィードバック情報を決定する。
【０２５４】
７０５．ＡＩ情報がＡＣＫであることをＵＥが検出する場合、ＵＥはデフォルトリソースを用いる。
【０２５５】
具体的には、１番目のＡＩＣＨに関するデフォルトリソースのリソースインデックスがＸである場合、ＵＥはＸに対応するデフォルトリソースを用いる。
【０２５６】
７０６．ＡＩ情報がＮＡＣＫであることをＵＥが検出する場合、ＵＥはＥＡＩの値に対応するリソースを用いる。
【０２５７】
具体的には、１番目のＡＩＣＨに関するデフォルトリソースのリソースインデックスがＸである場合、１番目のＡＩＣＨに関するＥＡＩ情報により示されるリソースインデックスの範囲は、（Ｘ＋１）ｍｏｄ  Ｍから（Ｘ＋３１）ｍｏｄ  Ｍまでであり、１番目のＡＩＣＨに関するＡＩ情報がＮＡＣＫである場合、ＵＥは、１番目のＡＩＣＨに関するＥＡＩ情報の値に対応するリソースインデックスにより示されるリソースを用いてよい。同様に、２番目のＡＩＣＨに関するデフォルトリソースのリソースインデックスがＹである場合、２番目のＡＩＣＨに関するＥＡＩ情報により示されるリソースインデックスの範囲は、（Ｙ＋１）ｍｏｄ  Ｍから（Ｙ＋３１）ｍｏｄ  Ｍまでであり、２番目のＡＩＣＨに関するＡＩ情報がＮＡＣＫである場合、ＵＥは、２番目のＡＩＣＨに関するＥＡＩ情報の値に対応するリソースインデックスにより示されるリソースを用いてよい。同様に、Ｎ番目のＡＩＣＨに関するデフォルトリソースのリソースインデックスがＺである場合、Ｎ番目のＡＩＣＨに関するＥＡＩ情報により示されるリソースインデックスの範囲は、（Ｚ＋１）ｍｏｄ  Ｍから（Ｚ＋３１）ｍｏｄ  Ｍまでであり、Ｎ番目のＡＩＣＨに関するＡＩ情報がＮＡＣＫである場合、ＵＥは、Ｎ番目のＡＩＣＨに関するＥＡＩ情報の値に対応するリソースインデックスにより示されるリソースを用いてよい。本発明のこの実施形態において詳細は説明されない。
【０２５８】
７０７．ＡＩ情報がＮＡＣＫであり且つＥＡＩ情報がＮＡＣＫであることをＵＥが検出する場合、ＵＥはこのランダム・アクセス・プロセスを終了する。
【０２５９】
図８は、本発明の別の実施形態によるリソース表示プロセスの概略フローチャートである。図８に示されるように、本プロセスは以下の段階を含む。
【０２６０】
８０１．ＵＥはランダム・アクセス・パラメータを取得する。
【０２６１】
具体的には、ＵＥは、ネットワーク側からランダム・アクセス・パラメータを取得してよい。ランダム・アクセス・パラメータは、ＰＲＡＣＨに関する情報とランダムアクセスに用いられる関連パラメータとを含んでよい。ランダム・アクセス・パラメータにおけるＰＲＡＣＨは、１つのＡＩＣＨのシリアル番号に対応する。
【０２６２】
８０２．ＵＥはランダム・アクセス・プリアンブルを基地局にＰＲＡＣＨで送信する。
【０２６３】
８０３．基地局は、フィードバック情報と補助表示情報とをＵＥにＡＩＣＨで送信する。
【０２６４】
８０４．ＵＥは基地局により送信されるフィードバック情報をＡＩＣＨで検出する。
【０２６５】
８０５．ＡＩＣＨに関するＡＩ情報がＡＣＫであることをＵＥが検出する場合、ＵＥはデフォルトリソースを用いる。
【０２６６】
具体的には、ＡＩＣＨに関するデフォルトリソースのリソースインデックスがＸである場合、ＵＥはＸに対応するデフォルトリソースを用いる。
【０２６７】
８０６．ＵＥが、ＡＩＣＨに関するＡＩ情報がＮＡＣＫであることを検出し、補助表示情報とＥＡＩ情報とを引き続き検出する場合、ＵＥは、補助表示情報及びＥＡＩの値を用いてターゲットリソースのリソースインデックスを決定する。
【０２６８】
任意で、補助表示情報は、ＡＩＣＨの各タイムスロットの最後の１０２４チップにある合計８ビットの予備情報を用いて表されてよい。
【０２６９】
具体的には、ＡＩＣＨに関するデフォルトリソースのリソースインデックスがＸであり、補助表示情報が０又は送信されない場合、ＡＩＣＨに関するＥＡＩ情報により示されるリソースインデックスの範囲は、（Ｘ＋１）ｍｏｄ  Ｍから（Ｘ＋３１）ｍｏｄ  Ｍまでであり、Ｍは、セル内のＥ−ＤＣＨリソースの合計数である。補助表示情報が１である場合、ＡＩＣＨに関するＥＡＩ情報により示されるリソースインデックスの範囲は、（Ｘ＋３２）ｍｏｄ  Ｍから（Ｘ＋６２）ｍｏｄ  Ｍであり、その他はこれにより推定され得る。
【０２７０】
すなわち、ＥＡＩ情報を搬送するＡＩＣＨのシリアル番号がＫであり、Ｋが０より大きい又は０に等しい整数である場合、ＥＡＩ情報により示されるリソースインデックスの範囲は、（Ｘ＋３１×Ｋ＋１）ｍｏｄ  Ｍから（Ｘ＋３１×Ｋ＋３１）ｍｏｄ  Ｍまでであってよい。
【０２７１】
８０７．ＡＩＣＨに関するＡＩ情報がＮＡＣＫであり且つＡＩＣＨに関するＥＡＩ情報がＮＡＣＫであることをＵＥが検出する場合、ＵＥはこのランダム・アクセス・プロセスを終了する。
【０２７２】
図９は、本発明の別の実施形態によるリソース表示プロセスの概略フローチャートである。図９に示されるように、本プロセスは以下の段階を含む。
【０２７３】
９０１．ＵＥはランダム・アクセス・パラメータを取得する。
【０２７４】
具体的には、ランダム・アクセス・パラメータは、ＵＥがランダム・アクセス・プリアンブルを送信し、ＡＩＣＨに関するフィードバック情報を検出する少なくとも２つの時間間隔のシリアル番号を含む。
【０２７５】
基地局がフィードバック情報を送信する時間間隔は、基地局がフィードバック情報を送信する現在の時間間隔であってよく、又はフィードバック情報が送信される予め設定された時間間隔であってもよく、このことは、本発明において限定されないことが理解されるべきである。
【０２７６】
９０２．ＵＥは、ランダム・アクセス・プリアンブルを基地局にＰＲＡＣＨで送信する。
【０２７７】
９０３．基地局は、フィードバック情報をＵＥにＡＩＣＨで送信する。
【０２７８】
９０４．ＵＥは基地局により送信されるフィードバック情報をＡＩＣＨで検出する。
【０２７９】
９０５．ＡＩＣＨに関するＡＩ情報がＡＣＫであることをＵＥが検出する場合、ＵＥはデフォルトリソースを用いる。
【０２８０】
具体的には、ＡＩＣＨに関するデフォルトリソースのリソースインデックスがＸである場合、ＵＥはＸに対応するデフォルトリソースを用いる。
【０２８１】
９０６．ランダム・アクセス・プリアンブルが送信された後、ＡＩＣＨに関するＡＩ情報がＫ番目のタイムスロットにおいてＮＡＣＫであることをＵＥが検出する場合、ＡＩＣＨに関するＥＡＩ情報により示されるリソースインデックスの範囲は、（Ｘ＋３１×Ｋ＋１）ｍｏｄ  Ｍから（Ｘ＋３１×Ｋ＋３１）ｍｏｄ  Ｍまでであり、ＵＥはＥＡＩの値に対応するリソースを用いる。
【０２８２】
ＡＩ情報がＡＣＫであり、デフォルトリソースのリソースインデックスがＸである場合、ＵＥに割り当てられるターゲットリソースはリソースインデックスＸに対応するリソースである、又はＡＩ情報がＮＡＣＫである場合、ＥＡＩ情報により示されるリソースインデックスの範囲は、Ａ＝（Ｘ＋３１×Ｋ＋１）ｍｏｄ  ＭからＢ＝（Ｘ＋３１×Ｋ＋３１）ｍｏｄ  Ｍまでであってよく、リソースインデックスの範囲内のＥＡＩ情報の値に対応するリソースインデックスがターゲットリソースのリソースインデックスとして選択される。
【０２８３】
９０７．ＡＩＣＨに関するＡＩ情報がＮＡＣＫであり且つＡＩＣＨに関するＥＡＩ情報がＮＡＣＫであることをＵＥが検出する場合、ＵＥはこのランダム・アクセス・プロセスを終了する。
【０２８４】
図１０は、本発明の別の実施形態によるユーザ機器のブロック図である。図１０のユーザ機器１００は、前述の方法の実施形態における段階及び方法を実装するよう構成されてよい。図１０のユーザ機器１００は、プロセッサ１０１と、メモリ１０２と、受信回路１０３と、送信回路１０４とを含む。プロセッサ１０１、メモリ１０２、及び受信回路１０３は、バスシステム１０９を用いて接続される。
【０２８５】
さらに、ユーザ機器１００は、アンテナ１０５などを更に含んでよい。プロセッサ１０１は、ユーザ機器１００の動作を制御する。メモリ１０２は、リードオンリメモリ及びランダムアクセスメモリを含んでよく、命令及びデータをプロセッサ１０１に提供する。メモリ１０２の一部は、不揮発性ランダムアクセスメモリ（ＮＶＲＡＭ）を更に含んでよい。特定の用途において、送信回路１０４及び受信回路１０３は、アンテナ１０５に結合されてよい。ユーザ機器１００の構成要素は、バスシステム１０９を用いて共に結合される。バスシステム１０９は、データバスに加えて、電力バス、制御バス、ステータス信号バスを更に含む。しかし、説明を明確にするために、図の中では様々なバスがバスシステム１０９として示されている。
【０２８６】
プロセッサ１０１は、集積回路チップであってよく、信号処理能力を有している。前述のプロセッサ１０１は、汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブルロジックデバイス、ディスクリートゲートデバイス又はトランジスタロジックデバイス、あるいはディスクリートハードウェア構成要素であってよい。本発明の実施形態に開示される方法、段階、及び論理ブロック図は、実装されてよく、又は実行されてもよい。汎用プロセッサはマイクロプロセッサであってよく、プロセッサは従来のあらゆるプロセッサなどであってよい。プロセッサ１０１は、メモリ１０２から情報を読み出し、メモリ１０２のハードウェアを用いてユーザ機器１００の構成要素を制御する。
【０２８７】
図４の方法は、図１０のユーザ機器１００によって実装されてよい。繰り返しを回避すべく、詳細は改めて説明されない。
【０２８８】
具体的には、プロセッサ１０１の制御のもとで、ユーザ機器１００は以下の動作を完了させる。その動作とは、物理ランダム・アクセス・チャネル（ＰＲＡＣＨ）でランダム・アクセス・プリアンブルを基地局に送信する動作であって、ＰＲＡＣＨは少なくとも１つのアクイジション・インジケータ・チャネル（ＡＩＣＨ）に対応する、動作と、補助表示情報を検出し、基地局によって送信されるフィードバック情報を少なくとも１つのＡＩＣＨで検出する動作であって、フィードバック情報はアクイジション・インジケータ（ＡＩ）情報及び拡張アクイジション・インジケータ（ＥＡＩ）情報を含む、動作と、フィードバック情報及び補助表示情報に従い、Ｍ個のアップリンク送信リソースにおいて、基地局により割り当てられるターゲットリソースのリソースインデックスを決定する動作であって、Ｍは３２より大きい整数である、動作である。
【０２８９】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０２９０】
任意で、別の実施形態において、プロセッサ１０１は、ＡＩ情報が肯定応答（ＡＣＫ）である場合、デフォルトリソースのリソースインデックスをターゲットリソースのリソースインデックスとして決定してよく、又はＡＩ情報が否定応答（ＮＡＣＫ）である場合、プロセッサ１０１は、補助表示情報に従って、ＥＡＩ情報により示されるリソースインデックスの範囲を決定し、ＥＡＩ情報の値に対応するリソースインデックスをターゲットリソースのリソースインデックスとして決定してもよい。
【０２９１】
任意で、別の実施形態において、受信回路１０３は、ランダム・アクセス・パラメータを受信してよく、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０２９２】
任意で、別の実施形態において、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【０２９３】
任意で、別の実施形態において、ＰＲＡＣＨはＡＩＣＨに対応し、ＡＩ情報及びＥＡＩ情報はＡＩＣＨで送信され、補助表示情報はＥＡＩ情報が検出される時間間隔のシリアル番号である。ＡＩＣＨのシリアル番号はＡＩＣＨチャネルのチャネル化コードであってよい。
【０２９４】
任意で、別の実施形態において、ＡＩ情報及びＥＡＩ情報は少なくとも１つのＡＩＣＨで送信され、補助表示情報はＥＡＩ情報を搬送するＡＩＣＨのシリアル番号である。
【０２９５】
任意で、別の実施形態において、補助表示情報の値がＫである場合、プロセッサ１０１は、ＥＡＩ情報によって示されるリソースインデックスの範囲がＡからＢまでと決定してよく、ここでＡ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘはランダム・アクセス・プリアンブルに対応するデフォルトリソースのリソースインデックスである。
【０２９６】
図１１は、本発明の別の実施形態による基地局のブロック図である。図１１の基地局１１０は、前述の方法の実施形態における段階及び方法を実装するよう構成されてよい。図１１の基地局１１０は、プロセッサ１１１と、メモリ１１２と、受信回路１１３と、送信回路１１４とを含む。プロセッサ１１１、メモリ１１２、及び受信回路１１３は、バスシステム１１９を用いて接続される。
【０２９７】
さらに、基地局１１０は、アンテナ１１５などを更に含んでよい。プロセッサ１１１は、基地局１１０の動作を制御する。メモリ１１２は、リードオンリメモリ及びランダムアクセスメモリを含んでよく、命令及びデータをプロセッサ１１１に提供する。メモリ１１２の一部は、不揮発性ランダムアクセスメモリ（ＮＶＲＡＭ）を更に含んでよい。特定の用途において、送信回路１１４及び受信回路１１３は、アンテナ１１５に結合されてよい。基地局１１０の構成要素は、バスシステム１１９を用いて共に結合される。バスシステム１１９は、データバスに加えて、電力バス、制御バス、ステータス信号バスを更に含む。しかし、説明を明確にするために、図の中では様々なバスがバスシステム１１９として示されている。
【０２９８】
プロセッサ１１１は、集積回路チップであってよく、信号処理能力を有している。前述のプロセッサ１１１は、汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブルロジックデバイス、ディスクリートゲートデバイス又はトランジスタロジックデバイス、あるいはディスクリートハードウェア構成要素であってよい。本発明の実施形態に開示される方法、段階、及び論理ブロック図は、実装されてよく、又は実行されてもよい。汎用プロセッサはマイクロプロセッサであってよく、プロセッサは従来のあらゆるプロセッサなどであってよい。プロセッサ１１１は、メモリ１１２から情報を読み出し、メモリ１１２のハードウェアを用いて基地局１１０の構成要素を制御する。
【０２９９】
図５の方法は、図１１の基地局１１０によって実装されてよい。繰り返しを回避すべく、詳細は改めて説明されない。
【０３００】
具体的には、プロセッサ１１１の制御のもとで、基地局１１０は以下の動作を完了させる。その動作とは、ユーザ機器（ＵＥ）によって送信されるランダム・アクセス・プリアンブルを物理ランダム・アクセス・チャネル（ＰＲＡＣＨ）で受信する動作であって、ＰＲＡＣＨは少なくとも１つのアクイジション・インジケータ・チャネル（ＡＩＣＨ）に対応する、動作と、Ｍ個のアップリンク送信リソースにおいて、ＵＥに割り当てられるターゲットリソースのリソースインデックスを決定する動作であって、Ｍは３２より大きい整数である、動作と、ターゲットリソースのリソースインデックスに従ってフィードバック情報と補助表示情報とを決定する動作であって、フィードバック情報はアクイジション・インジケータ（ＡＩ）情報と拡張アクイジション・インジケータ（ＥＡＩ）情報とを含む、動作と、フィードバック情報を少なくとも１つのＡＩＣＨで送信する動作である。
【０３０１】
本発明のこの実施形態では、補助表示情報が検出され、基地局によって送信されるフィードバック情報がアクイジション・インジケータ・チャネルで検出され、補助表示情報及びフィードバック情報の両方が、３２セットより多くの拡張アップリンク送信リソースにおいて、ユーザ機器に割り当てられるターゲットリソースを示すのに用いられる。従って、本発明のこの実施形態では、拡張アップリンク送信リソースが示され得る。
【０３０２】
任意で、別の実施形態において、プロセッサ１１１は、ターゲットリソースのリソースインデックスがデフォルトリソースのリソースインデックスである場合、ＡＩ情報が肯定応答（ＡＣＫ）であると決定してよく、又はターゲットリソースのリソースインデックスが非デフォルトリソースのリソースインデックスである場合、ＡＩ情報がＮＡＣＫであると決定してよい。
【０３０３】
任意で、別の実施形態において、プロセッサ１１１は、ネットワーク側からＵＥにより取得されるランダム・アクセス・パラメータを決定してよく、ランダム・アクセス・パラメータは、ＰＲＡＣＨに対応する少なくとも２つのＡＩＣＨのシリアル番号を含む、又はＰＲＡＣＨに対応する１つのＡＩＣＨのシリアル番号と、補助表示情報を検出するよう命令するのに用いられる検出表示情報とを含む、又は、ＰＲＡＣＨに対応する１つのＡＩＣＨのシリアル番号と少なくとも１つの時間間隔とを含み、少なくとも１つの時間間隔における各時間間隔は、ランダム・アクセス・プリアンブルが送信される時間と、フィードバック情報が検出される時間との間の期間である。
【０３０４】
任意で、別の実施形態において、ＰＲＡＣＨはＡＩＣＨに対応し、ＡＩ情報、ＥＡＩ情報、及び補助表示情報はＡＩＣＨで送信され、補助表示情報はＡＩ情報及びＥＡＩ情報が受信されるタイムスロットの最後の１０２４チップで送信される。
【０３０５】
任意で、別の実施形態において、ＰＲＡＣＨはＡＩＣＨに対応し、ＡＩ情報及びＥＡＩ情報はＡＩＣＨで送信され、補助表示情報はＥＡＩ情報が送信される時間間隔のシリアル番号である。ＡＩＣＨのシリアル番号はＡＩＣＨチャネルのチャネル化コードであってよい。
【０３０６】
任意で、別の実施形態において、ＡＩ情報及びＥＡＩ情報は少なくとも１つのＡＩＣＨで送信され、補助表示情報はＥＡＩ情報を搬送するＡＩＣＨのシリアル番号である。
【０３０７】
任意で、別の実施形態において、ターゲットリソースのリソースインデックスの範囲がＡからＢまでであり、Ａ＝（Ｘ＋３１×Ｋ＋１）ｍｏｄ  Ｍ、Ｂ＝（Ｘ＋３１×Ｋ＋３１）ｍｏｄ  Ｍである場合、プロセッサ１１１は、補助表示情報がＫであると決定してよく、Ｋは０より大きい又は０に等しい整数であり、Ｘはランダム・アクセス・プリアンブルに対応するデフォルトリソースのリソースインデックスである。
【０３０８】
「ある実施形態」、又は明細書全体において言及される「ある実施形態」は、その実施形態に関する特定の機能、構造、又は特性が、本発明の少なくとも１つの実施形態に含まれていることを意味しないことが理解されるべきである。従って、「ある実施形態において」、又は、本明細書全体にわたって現れる「ある実施形態において」は、同じ実施形態に言及してはいない。さらに、これらの特定の機能、構造、又は特性は、任意の適切な方法を用いて１つ又は複数の実施形態に組み合わされてよい。前述のプロセスのシーケンス番号は、本発明の様々な実施形態における実行順序を意味してはいない。プロセスの実行順序は、プロセスの機能及び内部論理に従って決定されるべきであり、本発明の実施形態の実装プロセスへのいかなる限定とも解釈されるべきではない。前述のプロセスのシーケンス番号は、本発明の様々な実施形態における実行順序を意味してはいない。プロセスの実行順序は、プロセスの機能及び内部論理に従って決定されるべきであり、本発明の実施形態の実装プロセスへのいかなる限定とも解釈されるべきではない。
【０３０９】
「ある実施形態」、又は明細書全体において言及される「ある実施形態」は、その実施形態に関する特定の機能、構造、又は特性が、本発明の少なくとも１つの実施形態に含まれていることを意味しないことが理解されるべきである。従って、「ある実施形態において」、又は、本明細書全体にわたって現れる「ある実施形態において」は、同じ実施形態に言及してはいない。さらに、これらの特定の機能、構造、又は特性は、任意の適切な方法を用いて１つ又は複数の実施形態に組み合わされてよい。前述のプロセスのシーケンス番号は、本発明の様々な実施形態における実行順序を意味してはいない。プロセスの実行順序は、プロセスの機能及び内部論理に従って決定されるべきであり、本発明の実施形態の実装プロセスへのいかなる限定とも解釈されるべきではない。
【０３１０】
さらに、「システム」及び「ネットワーク」という用語は、本明細書では互換的に用いられ得る。本明細書における「及び／又は」という用語は、関連対象物を説明するための関連関係だけを説明し、３つの関係が存在し得ることを表す。例えば、Ａ及び／又はＢは次の３つの場合、つまり、Ａだけが存在すること、Ａ及びＢの両方が存在すること、並びにＢだけが存在することを表し得る。さらに、本明細書における記号「／」は概して、関連対象物間で「又は」の関係を示す。
【０３１１】
本発明の実施形態において、「Ａに対応するＢ」は、ＢがＡに関連することを示し、ＢはＡに従って決定され得ることが理解されるべきである。しかし、Ｂに従ってＡを決定することは、ＢがＡだけに従って決定されることを意味せず、すなわち、Ｂはまた、Ａ及び／又は他の情報に従って決定され得ることが更に理解されるべきである。
【０３１２】
当業者は、本明細書に開示される実施形態に説明される例と組み合わせて、ユニット及びアルゴリズムの段階が、電子ハードウェア、コンピュータソフトウェア、又はこれらの組み合わせにより実装され得ることを認識し得る。ハードウェアとソフトウェアとの間の互換性を明確に説明すべく、前述では概して、それぞれの例について構成及び段階を機能に従って説明している。機能がハードウェアによって実行されるか、又はソフトウェアによって実行されるかは、特定の用途や技術的解決手法の設計制約条件に依存する。当業者は、説明された機能をそれぞれの特定の用途に実装するのに異なる方法を用いてよいが、その実装が本発明の範囲を超えるものとみなされるべきではない。
【０３１３】
簡便且つ簡潔な説明をする目的で、前述のシステム、装置、及びユニットの詳細な動作プロセスについて、前述の方法の実施形態における対応するプロセスが参照され得ることは、当業者によって明確に理解され得ることであり、詳細は改めてここで説明されない。
【０３１４】
本願において提供されるいくつかの実施形態において、開示されたシステム、装置、及び方法は他の態様で実装されてよいことが理解されるべきである。例えば、説明された装置の実施形態は単に例に過ぎない。例えば、ユニットの分割は、単に論理的機能の分割に過ぎず、実際の実装では他の分割であってよい。例えば、複数のユニット又は構成要素が組み合わされてよく、又は別のシステムに統合されてもよい。あるいはいくつかの機能が無視されてよく、又は実行されなくてもよい。さらに、示された又は論じられた相互結合、直接結合、又は通信接続は、いくつかのインタフェースを通じて実装されてよい。装置間又はユニット間の間接的結合又は通信接続は、電子的形態、機械的形態、又は他の形態で実装されてよい。
【０３１５】
別個の部分として説明されるユニットは、物理的に離れていても、そうでなくてもよい。ユニットとして示される部分は物理的ユニットであっても、そうでなくてもよく、これは１か所に配置されてよく、又は複数のネットワークユニット上に分散されてもよい。本発明の実施形態の解決手法の目的を実現すべく、ユニットの一部又は全てが実際の必要性に従って選択されてよい。
【０３１６】
さらに、本発明の実施形態の機能ユニットが１つの処理ユニットに統合されてよく、又はそれぞれのユニットが物理的に単独で存在してもよい、あるいは２つ又はそれより多くのユニットが１つのユニットに統合される。統合されたユニットは、ハードウェアの形態で実装されてよく、又はソフトウェア機能ユニットの形態で実装されてもよい。
【０３１７】
前述の実施形態の説明によって、当業者は、本発明がハードウェア、ファームウェア、又はこれらの組み合わせにより実装され得ることを明確に理解し得る。本発明がソフトウェアによって実装される場合、前述の機能は、コンピュータ可読媒体に格納されてよい、あるいはコンピュータ可読媒体内の１つ又は複数の命令、又はコードとして送信されてもよい。コンピュータ可読媒体は、コンピュータ記憶媒体及び通信媒体を含み、通信媒体は、コンピュータプログラムをある場所から別の場所に送信できるようにする任意の媒体を含む。記憶媒体は、コンピュータにアクセスできる利用可能な任意の媒体であってよい。以下に例を提供するが、これは制限を課すものではない。コンピュータ可読媒体は、ＲＡＭ、ＲＯＭ、ＥＥＰＲＯＭ、ＣＤ−ＲＯＭ、あるいは別の光ディスクストレージ又はディスク記憶媒体、あるいは別の磁気記憶デバイス、あるいは予期されるプログラムコードを命令又はデータ構造の形態で記憶又は格納できる、又はコンピュータがアクセスできる任意の他の媒体を含んでよい。さらに、任意の接続がコンピュータ可読媒体として適切に定められてよい。例えば、ウェブサイト、サーバ、又は別のリモートソースから、同軸ケーブル、光ファイバ／ケーブル、ツイストペア、デジタル加入者線（ＤＳＬ）、又は赤外線、無線、及びマイクロ波などの無線技術を用いてソフトウェアが送信される場合、同軸ケーブル、光ファイバ／ケーブル、ツイストペア、ＤＳＬ、又は赤外線、無線、及びマイクロ波などの無線技術は、これらが属する媒体の固定に含まれる。例えば、本発明によって用いられるディスク（ｄｉｓｋ及びｄｉｓｃ）は、コンパクトディスク（ｄｉｓｃ）ＣＤ、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、及びブルーレイディスク（ｄｉｓｃ）を含み、ディスク（ｄｉｓｋ）は概して磁気的方法でデータをコピーし、ディスク（ｄｉｓｃ）は、レーザを用いた方法で光学的にデータをコピーする。前述の組み合わせも、コンピュータ可読媒体の保護範囲に含まれるべきである。
【０３１８】
要約すると、上述されていることは、単に本発明の技術的解決手法についての実施形態の例に過ぎず、本発明の保護範囲を限定するよう意図されるものではない。本発明の原則から逸脱することなく行われた、いかなる変更、等価な置換、又は改良も、本発明の保護範囲内に含まれることになる。
（項目１）
物理ランダム・アクセス・チャネル（ＰＲＡＣＨ）でランダム・アクセス・プリアンブルを基地局に送信するよう構成された送信ユニットであって、上記ＰＲＡＣＨは少なくとも１つのアクイジション・インジケータ・チャネル（ＡＩＣＨ）に対応する、送信ユニットと、
補助表示情報を検出し、上記基地局により送信されるフィードバック情報を上記少なくとも１つのＡＩＣＨで検出するよう構成された検出ユニットであって、上記フィードバック情報はアクイジション・インジケータ（ＡＩ）情報と拡張アクイジション・インジケータ（ＥＡＩ）情報とを含む、検出ユニットと、
上記フィードバック情報と上記補助表示情報とに従い、Ｍ個のアップリンク送信リソースにおいて、上記基地局により割り当てられるターゲットリソースのリソースインデックスを決定するよう構成された決定ユニットであって、Ｍは３２より大きい整数である、決定ユニットと
を備える
ユーザ機器。
（項目２）
上記決定ユニットは具体的には、
上記ＡＩ情報が肯定応答（ＡＣＫ）である場合、デフォルトリソースのリソースインデックスを上記ターゲットリソースの上記リソースインデックスとして決定するよう構成される、又は
上記ＡＩ情報が否定応答（ＮＡＣＫ）である場合、上記ＥＡＩ情報により示されるリソースインデックスの範囲を上記補助表示情報に従って決定し、上記ＥＡＩ情報の値に対応するリソースインデックスを上記ターゲットリソースの上記リソースインデックスとして決定するよう構成される、
項目１に記載のユーザ機器。
（項目３）
ランダム・アクセス・パラメータを受信するよう構成された受信ユニットを更に備え、
上記ランダム・アクセス・パラメータは、
上記ＰＲＡＣＨに対応する少なくとも２つのＡＩＣＨのシリアル番号を有する、又は
上記ＰＲＡＣＨと、上記補助表示情報を検出するよう命令するのに用いられる検出表示情報とに対応する１つのＡＩＣＨのシリアル番号を有する、又は
上記ＰＲＡＣＨと少なくとも１つの時間間隔とに対応する１つのＡＩＣＨのシリアル番号を有し、上記少なくとも１つの時間間隔における各時間間隔は、上記ランダム・アクセス・プリアンブルが送信される時間と、上記フィードバック情報が検出される時間との間の期間である、
項目２に記載のユーザ機器。
（項目４）
上記ＰＲＡＣＨはＡＩＣＨに対応し、上記ＡＩ情報と上記ＥＡＩ情報と上記補助表示情報とは、上記ＡＩＣＨで送信され、上記補助表示情報は、上記ＡＩ情報と上記ＥＡＩ情報とが受信されるタイムスロットの最後の１０２４チップで送信される、
項目３に記載のユーザ機器。
（項目５）
上記ＰＲＡＣＨはＡＩＣＨに対応し、上記ＡＩ情報と上記ＥＡＩ情報とは上記ＡＩＣＨで送信され、上記補助表示情報は、上記ＥＡＩ情報が検出される時間間隔のシリアル番号である、
項目３に記載のユーザ機器。
（項目６）
上記ＡＩ情報と上記ＥＡＩ情報とは上記少なくとも１つのＡＩＣＨで送信され、上記補助表示情報は、上記ＥＡＩ情報を搬送する上記ＡＩＣＨのシリアル番号である、
項目３に記載のユーザ機器。
（項目７）
上記決定ユニットは具体的には、
上記補助表示情報の値がＫである場合、上記ＥＡＩ情報により示される上記リソースインデックスの範囲がＡからＢまでと決定するよう構成され、
Ａ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘは上記ランダム・アクセス・プリアンブルに対応するデフォルトリソースのリソースインデックスである、
項目４から６のいずれか一項に記載のユーザ機器。
（項目８）
ユーザ機器（ＵＥ）により送信されるランダム・アクセス・プリアンブルを物理ランダム・アクセス・チャネル（ＰＲＡＣＨ）で受信するよう構成された受信ユニットであって、上記ＰＲＡＣＨは少なくとも１つのアクイジション・インジケータ・チャネル（ＡＩＣＨ）に対応する、受信ユニットと、
Ｍ個のアップリンク送信リソースにおいて、上記ＵＥに割り当てられるターゲットリソースのリソースインデックスを決定するよう構成された第１の決定ユニットであって、Ｍは３２より大きい整数である、第１の決定ユニットと、
上記ターゲットリソースの上記リソースインデックスに従って、フィードバック情報と補助表示情報とを決定するよう構成された第２の決定ユニットであって、上記フィードバック情報は、アクイジション・インジケータ（ＡＩ）情報と拡張アクイジション・インジケータ（ＥＡＩ）情報とを含む、第２の決定ユニットと、
上記少なくとも１つのＡＩＣＨで上記フィードバック情報を送信するよう構成された送信ユニットと
を備える
基地局。
（項目９）
上記第２の決定ユニットは具体的には、
上記ターゲットリソースの上記リソースインデックスがデフォルトリソースのリソースインデックスである場合、上記ＡＩ情報は肯定応答（ＡＣＫ）であると決定するよう構成される、又は
上記ターゲットリソースの上記リソースインデックスが非デフォルトリソースのリソースインデックスである場合、上記ＡＩ情報は否定応答（ＮＡＣＫ）であると決定するよう構成される、
項目８に記載の基地局。
（項目１０）
ネットワーク側から上記ＵＥにより取得されるランダム・アクセス・パラメータを決定するよう構成された第３の決定ユニットを更に備え、
上記ランダム・アクセス・パラメータは、
上記ＰＲＡＣＨに対応する少なくとも２つのＡＩＣＨのシリアル番号を含む、又は
上記ＰＲＡＣＨと、上記補助表示情報を検出するよう命令するのに用いられる検出表示情報とに対応する１つのＡＩＣＨのシリアル番号を含む、又は
上記ＰＲＡＣＨと少なくとも１つの時間間隔とに対応する１つのＡＩＣＨのシリアル番号を含み、上記少なくとも１つの時間間隔における各時間間隔は、上記ランダム・アクセス・プリアンブルが送信される時間と、上記フィードバック情報が検出される時間との間の期間である、
項目９に記載の基地局。
（項目１１）
上記ＰＲＡＣＨはＡＩＣＨに対応し、上記ＡＩ情報と上記ＥＡＩ情報と上記補助表示情報とは、上記ＡＩＣＨで送信され、上記補助表示情報は、上記ＡＩ情報と上記ＥＡＩ情報とが受信されるタイムスロットの最後の１０２４チップで送信される、
項目１０に記載の基地局。
（項目１２）
上記ＰＲＡＣＨはＡＩＣＨに対応し、上記ＡＩ情報と上記ＥＡＩ情報とは上記ＡＩＣＨで送信され、上記補助表示情報は、上記ＥＡＩ情報が送信される時間間隔のシリアル番号である、
項目１０に記載の基地局。
（項目１３）
上記ＡＩ情報と上記ＥＡＩ情報とは上記少なくとも１つのＡＩＣＨで送信され、上記補助表示情報は、上記ＥＡＩ情報を搬送する上記ＡＩＣＨのシリアル番号である、
項目１０に記載の基地局。
（項目１４）
上記第２の決定ユニットは具体的には、
上記ターゲットリソースのリソースインデックスの範囲がＡからＢまでであり、ここでＡ＝（Ｘ＋３１×Ｋ＋１）ｍｏｄ  Ｍ、Ｂ＝（Ｘ＋３１×Ｋ＋３１）ｍｏｄ  Ｍである場合、上記補助表示情報がＫであると決定するよう構成され、
Ｋは０より大きい又は０に等しい整数であり、Ｘは上記ランダム・アクセス・プリアンブルに対応するデフォルトリソースのリソースインデックスである、
項目１１から１３のいずれか一項に記載の基地局。
（項目１５）
リソース表示方法であって、
物理ランダム・アクセス・チャネル（ＰＲＡＣＨ）でランダム・アクセス・プリアンブルを基地局に送信する段階であって、上記ＰＲＡＣＨは少なくとも１つのアクイジション・インジケータ・チャネル（ＡＩＣＨ）に対応する、段階と、
補助表示情報を検出し、上記基地局により送信されるフィードバック情報を上記少なくとも１つのＡＩＣＨで検出する段階であって、上記フィードバック情報はアクイジション・インジケータ（ＡＩ）情報と拡張アクイジション・インジケータ（ＥＡＩ）情報とを含む、段階と、
上記フィードバック情報と上記補助表示情報とに従い、Ｍ個のアップリンク送信リソースにおいて、上記基地局により割り当てられるターゲットリソースのリソースインデックスを決定する段階であって、Ｍは３２より大きい整数である、段階と
を備える
方法。
（項目１６）
上記フィードバック情報と上記補助表示情報とに従い、上記Ｍ個のアップリンク送信リソースにおいて、上記基地局により割り当てられる上記ターゲットリソースの上記リソースインデックスを決定する上記段階は、
上記ＡＩ情報が肯定応答（ＡＣＫ）である場合、デフォルトリソースのリソースインデックスを上記ターゲットリソースの上記リソースインデックスとして決定する段階を有する、又は
上記ＡＩ情報が否定応答（ＮＡＣＫ）である場合、上記ＥＡＩ情報により示されるリソースインデックスの範囲を上記補助表示情報に従って決定し、上記ＥＡＩ情報の値に対応するリソースインデックスを上記ターゲットリソースの上記リソースインデックスとして決定する段階を有する、
項目１５に記載の方法。
（項目１７）
物理ランダム・アクセス・チャネル（ＰＲＡＣＨ）で上記ランダム・アクセス・プリアンブルを送信する上記段階の前に、ランダム・アクセス・パラメータを受信する段階を更に備え、
上記ランダム・アクセス・パラメータは、
上記ＰＲＡＣＨに対応する少なくとも２つのＡＩＣＨのシリアル番号を有する、又は
上記ＰＲＡＣＨと、上記補助表示情報を検出するよう命令するのに用いられる検出表示情報とに対応する１つのＡＩＣＨのシリアル番号を有する、又は
上記ＰＲＡＣＨと少なくとも１つの時間間隔とに対応する１つのＡＩＣＨのシリアル番号を有し、上記少なくとも１つの時間間隔における各時間間隔は、上記ランダム・アクセス・プリアンブルが送信される時間と、上記フィードバック情報が検出される時間との間の期間である、
項目１６に記載の方法。
（項目１８）
上記ＰＲＡＣＨはＡＩＣＨに対応し、上記ＡＩ情報と上記ＥＡＩ情報と上記補助表示情報とは、上記ＡＩＣＨで送信され、上記補助表示情報は、上記ＡＩ情報と上記ＥＡＩ情報とが受信されるタイムスロットの最後の１０２４チップで送信される、
項目１７に記載の方法。
（項目１９）
上記ＰＲＡＣＨはＡＩＣＨに対応し、上記ＡＩ情報と上記ＥＡＩ情報とは上記ＡＩＣＨで送信され、上記補助表示情報は、上記ＥＡＩ情報が検出される時間間隔のシリアル番号である、
項目１７に記載の方法。
（項目２０）
上記ＡＩ情報と上記ＥＡＩ情報とは上記少なくとも１つのＡＩＣＨで送信され、上記補助表示情報は、上記ＥＡＩ情報を搬送する上記ＡＩＣＨのシリアル番号である、
項目１７に記載の方法。
（項目２１）
上記ＥＡＩ情報により示されるリソースインデックスの範囲を上記補助表示情報に従って決定する上記段階は、
上記補助表示情報の値がＫである場合、上記ＥＡＩ情報により示される上記リソースインデックスの範囲がＡからＢまでと決定する段階を有し、
Ａ＝（Ｘ＋３１×Ｋ＋１）ｍｏｄ  Ｍ、Ｂ＝（Ｘ＋３１×Ｋ＋３１）ｍｏｄ  Ｍであり、Ｋは０より大きい又は０に等しい整数であり、Ｘは上記ランダム・アクセス・プリアンブルに対応するデフォルトリソースのリソースインデックスである、
項目１８から２０のいずれか一項に記載の方法。
（項目２２）
リソース表示方法であって、
ユーザ機器（ＵＥ）により送信されるランダム・アクセス・プリアンブルを物理ランダム・アクセス・チャネル（ＰＲＡＣＨ）で受信する段階であって、上記ＰＲＡＣＨは少なくとも１つのアクイジション・インジケータ・チャネル（ＡＩＣＨ）に対応する、段階と、
Ｍ個のアップリンク送信リソースにおいて、上記ＵＥに割り当てられるターゲットリソースのリソースインデックスを決定する段階であって、Ｍは３２より大きい整数である、段階と、
上記ターゲットリソースの上記リソースインデックスに従って、フィードバック情報と補助表示情報とを決定する段階であって、上記フィードバック情報は、アクイジション・インジケータ（ＡＩ）情報と拡張アクイジション・インジケータ（ＥＡＩ）情報とを含む、段階と、
上記少なくとも１つのＡＩＣＨで上記フィードバック情報を送信する段階と
を備える
方法。
（項目２３）
上記ターゲットリソースの上記リソースインデックスに従ってフィードバック情報を決定する上記段階は、
上記ターゲットリソースの上記リソースインデックスがデフォルトリソースのリソースインデックスである場合、上記ＡＩ情報は肯定応答（ＡＣＫ）であると決定する段階、又は
上記ターゲットリソースの上記リソースインデックスが非デフォルトリソースのリソースインデックスである場合、上記ＡＩ情報はＮＡＣＫであると決定する段階を有する、
項目２２に記載の方法。
（項目２４）
ネットワーク側から上記ＵＥにより取得されるランダム・アクセス・パラメータを決定する段階を更に備え、
上記ランダム・アクセス・パラメータは、
上記ＰＲＡＣＨに対応する少なくとも２つのＡＩＣＨのシリアル番号を含む、又は
上記ＰＲＡＣＨと、上記補助表示情報を検出するよう命令するのに用いられる検出表示情報とに対応する１つのＡＩＣＨのシリアル番号を含む、又は
上記ＰＲＡＣＨと少なくとも１つの時間間隔とに対応する１つのＡＩＣＨのシリアル番号を含み、上記少なくとも１つの時間間隔における各時間間隔は、上記ランダム・アクセス・プリアンブルが送信される時間と、上記フィードバック情報が検出される時間との間の期間である、
項目２３に記載の方法。
（項目２５）
上記ＰＲＡＣＨはＡＩＣＨに対応し、上記ＡＩ情報と上記ＥＡＩ情報と上記補助表示情報とは、上記ＡＩＣＨで送信され、上記補助表示情報は、上記ＡＩ情報と上記ＥＡＩ情報とが受信されるタイムスロットの最後の１０２４チップで送信される、
項目２４に記載の方法。
（項目２６）
上記ＰＲＡＣＨはＡＩＣＨに対応し、上記ＡＩ情報と上記ＥＡＩ情報とは上記ＡＩＣＨで送信され、上記補助表示情報は、上記ＥＡＩ情報が送信される時間間隔のシリアル番号である、
項目２４に記載の方法。
（項目２７）
上記ＡＩ情報と上記ＥＡＩ情報とは上記少なくとも１つのＡＩＣＨで送信され、上記補助表示情報は、上記ＥＡＩ情報を搬送する上記ＡＩＣＨのシリアル番号である、
項目２４に記載の方法。
（項目２８）
上記ターゲットリソースの上記リソースインデックスに従って補助表示情報を決定する上記段階は、
上記ターゲットリソースのリソースインデックスの範囲がＡからＢまでであり、ここでＡ＝（Ｘ＋３１×Ｋ＋１）ｍｏｄ  Ｍ、Ｂ＝（Ｘ＋３１×Ｋ＋３１）ｍｏｄ  Ｍである場合、上記補助表示情報がＫであると決定する段階を有し、
Ｋは０より大きい又は０に等しい整数であり、Ｘは上記ランダム・アクセス・プリアンブルに対応するデフォルトリソースのリソースインデックスである、
項目２５から２７のいずれか一項に記載の方法。
【図１】
0006399719.tif 000004
【図２】
0006399719.tif 000005
【図３】
0006399719.tif 000006
【図４】
0006399719.tif 000007
【図５】
0006399719.tif 000008
【図６】
0006399719.tif 000009
【図７】
0006399719.tif 000010
【図８】
0006399719.tif 000011
【図９】
0006399719.tif 000012
【図１０】
0006399719.tif 000013
【図１１】
0006399719.tif 000014